(57)【要約】【課題】精度良く利用者が選局する可能性が高いチャンネルを決定する。【解決手段】選局情報と時刻情報と関連づけて記憶する選局遷移情報記憶部１１７と、選局遷移組合せ毎に発生頻度を関連づけて選局遷移頻度情報として記憶する選局遷移頻度記憶部１１８と、選局遷移情報に基づいて選局遷移頻度情報を更新する選局遷移更新部１１１と、選局遷移情報に含まれる選局情報の一部と、一部が一致する選局遷移組合せを抽出すると共に、この抽出された選局遷移組合せに対応する発生頻度に基づいて、抽出された選局遷移組合せ毎の発生確率を選局遷移確率として算出し、この選局遷移確率が最高となる選局遷移組合せを最高選局遷移組合せとして抽出する選局遷移確率算出部１１４と、選局遷移確率算出部１１４により抽出された最高選局遷移組合せに基づいて、利用者が次に選局する可能性の高いチャンネルを決定する選局遷移推測手段１１０ａとを備える。【選択図】図１
2009218634.tif 000002
【特許請求の範囲】
【請求項１】
放送受信手段により所定のチャンネルのディジタル放送番組を受信するディジタル放送受信装置であって、
外部より供給された、前記放送受信手段に受信させる前記ディジタル放送番組のチャンネルを変更するための選局情報と、前記選局情報が供給されたときの時刻情報とを関連づけて選局遷移情報とし、前記時刻情報が示す時刻が新しい方の所定数分の前記選局遷移情報を記憶する選局遷移情報記憶手段と、
時系列順に並べられた前記所定数分の前記選局情報を１組の選局遷移組合せとし、この選局遷移組合せ毎に選局遷移組み合わせの発生頻度を関連づけて、選局遷移頻度情報として記憶する選局遷移頻度記憶手段と、
前記選局遷移情報記憶手段に記憶された選局遷移情報に基づいて、前記選局遷移頻度記憶手段に記憶された選局遷移頻度情報を更新する選局推移更新手段と、
前記選局遷移情報記憶手段に記憶された選局遷移情報に含まれる前記時刻情報に基づき時系列順にされた前記選局情報の一部と、前記選局遷移頻度記憶手段に記憶された前記選局遷移組合せの一部とが一致する前記選局遷移組合せを抽出すると共に、この抽出された選局遷移組合せに対応する前記選局遷移組み合わせの発生頻度に基づいて、前記抽出された選局遷移組合せ毎の発生確率を選局遷移確率として算出し、この算出された選局遷移確率が最高となる前記選局遷移組合せを最高選局遷移組合せとして抽出する選局遷移確率算出手段と、
前記選局遷移確率算出手段により抽出された最高選局遷移組合せに基づいて、次の選局チャンネルを決定する選局遷移推測手段と、
を備えたことを特徴とするディジタル放送受信装置。
【請求項２】
現在放送中であるディジタル放送番組の視聴時間を示す視聴時間情報を記憶する視聴時間情報記憶手段と、
少なくとも前記ディジタル放送番組のチャンネル情報を含む番組情報を記憶する番組情報記憶手段と、
前記視聴時間情報記憶手段及び前記番組情報記憶手段から、それぞれ視聴時間情報及び番組情報を読み出し、これら読み出された視聴時間情報及び番組情報に基づいて、前記現在放送中であるディジタル放送番組に対応する前記視聴時間を抽出する視聴時間取得手段と、
前記選局遷移確率算出手段により算出された選局遷移確率が、所定の遷移確率閾値未満である場合に、前記視聴時間取得手段により抽出された視聴時間、及び前記読み出された番組情報に基づいて、最も視聴時間が長いディジタル放送番組に対応するチャンネルを、次の選局チャンネルとして決定する視聴時間選局推測手段と、を更に備え、
前記選局遷移推測手段は、
前記選局遷移確率算出手段により算出された選局遷移確率が、所定の遷移確率閾値以上である場合に、前記選局遷移確率算出手段により抽出された最高選局遷移組合せに基づいて、次の選局チャンネルを決定する
ようにしたことを特徴とする請求項１記載のディジタル放送受信装置。
【請求項３】
現在放送中であるディジタル放送番組についての視聴者の嗜好度合いを示す番組嗜好度を含む番組嗜好情報を記憶する番組嗜好情報記憶手段と、
少なくとも前記ディジタル放送番組のチャンネル情報を含む番組情報を記憶する番組情報記憶手段と、
前記番組嗜好情報記憶手段及び前記番組情報記憶手段から、それぞれ番組嗜好情報及び番組情報を読み出し、これら読み出された番組嗜好情報及び番組情報に基づいて、前記現在放送中であるディジタル放送番組に対応する前記番組嗜好度を抽出する番組嗜好度取得手段と、
前記選局遷移確率算出手段により算出された選局遷移確率が、所定の遷移確率閾値未満である場合に、前記番組嗜好度取得手段により抽出された番組嗜好度、及び前記読み出された番組情報に基づいて、前記番組嗜好度が最も高いディジタル放送番組に対応するチャンネルを、次の選局チャンネルとして決定する嗜好度選局推測手段と、を更に備え、
前記選局遷移推測手段は、
前記選局遷移確率算出手段により算出された選局遷移確率が、所定の遷移確率閾値以上である場合に、前記選局遷移確率算出手段により抽出された最高選局遷移組合せに基づいて、次の選局チャンネルを決定する
ようにしたことを特徴とする請求項１記載のディジタル放送受信装置。
【請求項４】
前記視聴時間選局推測手段は、
前記選局遷移確率算出手段により算出された選局遷移確率が、所定の遷移確率閾値未満である場合に、前記視聴時間取得手段により抽出された視聴時間、及び前記読み出された番組情報に基づいて、前記視聴時間が最も長いディジタル放送番組を抽出し、この抽出されたディジタル放送番組の前記視聴時間が、所定の視聴時間閾値以上である場合に、前記抽出されたディジタル放送番組に対応するチャンネルを、次の選局チャンネルとして決定するようにし、
現在放送中であるディジタル放送番組についての視聴者の嗜好度合いを示す番組嗜好度を含む番組嗜好情報を記憶する番組嗜好情報記憶手段と、
前記番組嗜好情報記憶手段及び前記番組情報記憶手段から、それぞれ番組嗜好情報及び番組情報を読み出し、これら読み出された番組嗜好情報及び番組情報に基づいて、前記現在放送中であるディジタル放送番組に対応する前記番組嗜好度を抽出する番組嗜好度取得手段と、
前記視聴時間選局推測手段により抽出された、視聴時間が最も長いディジタル放送番組の前記視聴時間が、所定の視聴時間閾値未満である場合に、前記番組嗜好度取得手段により抽出された番組嗜好度、及び読み出された番組情報に基づいて、番組嗜好度が最も高いディジタル放送番組を抽出し、この抽出されたディジタル放送番組に対応するチャンネルを、次の選局チャンネルとして決定する嗜好度選局推測手段と、
を更に備えたことを特徴とする請求項２記載のディジタル放送受信装置。
【請求項５】
前記嗜好度選局推測手段は、
前記選局遷移確率算出手段により算出された選局遷移確率が、所定の遷移確率閾値未満である場合に、前記番組嗜好度取得手段により抽出された番組嗜好度、及び前記読み出された番組情報に基づいて、前記番組嗜好度が最も高いディジタル放送番組を抽出し、この抽出されたディジタル放送番組の前記番組嗜好度が、所定の番組嗜好度閾値以上である場合に、前記抽出されたディジタル放送番組に対応するチャンネルを、次の選局チャンネルとして決定するようにし、
現在放送中であるディジタル放送番組の視聴時間を示す視聴時間情報を記憶する視聴時間情報記憶手段と、
前記視聴時間情報記憶手段及び前記番組情報記憶手段から、それぞれ視聴時間情報及び番組情報を読み出し、これら読み出された視聴時間情報及び番組情報に基づいて、前記現在放送中であるディジタル放送番組に対応する前記視聴時間を抽出する視聴時間取得手段と、
前記嗜好度選局推測手段により抽出された、番組嗜好度が最も高いディジタル放送番組の前記番組嗜好度が、所定の番組嗜好度閾値未満である場合に、前記視聴時間取得手段により抽出された視聴時間、及び前記読み出された番組情報に基づいて、前記視聴時間が最も長いディジタル放送番組を抽出し、この抽出されたディジタル放送番組に対応するチャンネルを、次の選局チャンネルとして決定する視聴時間選局推測手段と、
を更に備えたことを特徴とする請求項３記載のディジタル放送受信装置。
【請求項６】
放送受信手段により所定のチャンネルのディジタル放送番組を受信するディジタル放送受信装置であり、外部より供給された、前記放送受信手段に受信させる前記ディジタル放送番組のチャンネルを変更するための選局情報と、前記選局情報が供給されたときの時刻情報とを関連づけて選局遷移情報とし、前記時刻情報が示す時刻が新しい方の所定数分の前記選局遷移情報を記憶する選局遷移情報記憶手段と、時系列順に並べられた前記所定数分の前記選局情報を１組の選局遷移組合せとし、この選局遷移組合せ毎に選局遷移組み合わせの発生頻度を関連づけて、選局遷移頻度情報として記憶する選局遷移頻度記憶手段と、を備えた前記ディジタル放送受信装置を用いて、チャンネルを推測するチャンネル推測方法であって、
前記選局遷移情報記憶手段に記憶された選局遷移情報に基づいて、前記選局遷移頻度記憶手段に記憶された選局遷移頻度情報を更新する選局推移更新ステップと、
前記選局遷移情報記憶手段に記憶された選局遷移情報に含まれる前記時刻情報に基づき時系列順にされた前記選局情報の一部と、前記選局遷移頻度記憶手段に記憶された前記選局遷移組合せの一部とが一致する前記選局遷移組合せを抽出すると共に、この抽出された選局遷移組合せに対応する前記選局遷移組み合わせの発生頻度に基づいて、前記抽出された選局遷移組合せ毎の発生確率を選局遷移確率として算出し、この算出された選局遷移確率が最高となる前記選局遷移組合せを最高選局遷移組合せとして抽出する選局遷移確率算出ステップと、
前記選局遷移確率算出ステップにより抽出された最高選局遷移組合せに基づいて、次の選局チャンネルを決定する選局遷移推測ステップと、
を有したことを特徴とするチャンネル推測方法。
【請求項７】
前記ディジタル放送受信装置は、
現在放送中であるディジタル放送番組の視聴時間を示す視聴時間情報を記憶する視聴時間情報記憶手段と、
少なくとも前記ディジタル放送番組のチャンネル情報を含む番組情報を記憶する番組情報記憶手段と、を更に備えており、
前記視聴時間情報記憶手段及び前記番組情報記憶手段から、それぞれ視聴時間情報及び番組情報を読み出し、これら読み出された視聴時間情報及び番組情報に基づいて、前記現在放送中であるディジタル放送番組に対応する前記視聴時間を抽出する視聴時間取得ステップと、
前記選局遷移確率算出ステップにより算出された選局遷移確率が、所定の遷移確率閾値未満である場合に、前記視聴時間取得ステップにより抽出された視聴時間、及び前記読み出された番組情報に基づいて、最も視聴時間が長いディジタル放送番組に対応するチャンネルを、次の選局チャンネルとして決定する視聴時間選局推測ステップと、を更に有し、
前記選局遷移推測ステップは、
前記選局遷移確率算出ステップにより算出された選局遷移確率が、所定の遷移確率閾値以上である場合に、前記選局遷移確率算出ステップにより抽出された最高選局遷移組合せに基づいて、次の選局チャンネルを決定する
ようにしたことを特徴とする請求項６記載のチャンネル推測方法。
【請求項８】
前記ディジタル放送受信装置は、
現在放送中であるディジタル放送番組についての視聴者の嗜好度合いを示す番組嗜好度を含む番組嗜好情報を記憶する番組嗜好情報記憶手段と、
少なくとも前記ディジタル放送番組のチャンネル情報を含む番組情報を記憶する番組情報記憶手段と、を更に備えており、
前記番組嗜好情報記憶手段及び前記番組情報記憶手段から、それぞれ番組嗜好情報及び番組情報を読み出し、これら読み出された番組嗜好情報及び番組情報に基づいて、前記現在放送中であるディジタル放送番組に対応する前記番組嗜好度を抽出する番組嗜好度取得ステップと、
前記選局遷移確率算出ステップにより算出された選局遷移確率が、所定の遷移確率閾値未満である場合に、前記番組嗜好度取得ステップにより抽出された番組嗜好度、及び前記読み出された番組情報に基づいて、前記番組嗜好度が最も高いディジタル放送番組に対応するチャンネルを、次の選局チャンネルとして決定する嗜好度選局推測ステップと、を更に有し、
前記選局遷移推測ステップは、
前記選局遷移確率算出ステップにより算出された選局遷移確率が、所定の遷移確率閾値以上である場合に、前記選局遷移確率算出ステップにより抽出された最高選局遷移組合せに基づいて、次の選局チャンネルを決定する
ようにしたことを特徴とする請求項６記載のチャンネル推測方法。
【請求項９】
前記ディジタル放送受信装置は、
現在放送中であるディジタル放送番組についての視聴者の嗜好度合いを示す番組嗜好度を含む番組嗜好情報を記憶する番組嗜好情報記憶手段を、更に備えており、
前記視聴時間選局推測ステップは、
前記選局遷移確率算出ステップにより算出された選局遷移確率が、所定の遷移確率閾値未満である場合に、前記視聴時間取得ステップにより抽出された視聴時間、及び前記読み出された番組情報に基づいて、前記視聴時間が最も長いディジタル放送番組を抽出し、この抽出されたディジタル放送番組の前記視聴時間が、所定の視聴時間閾値以上である場合に、前記抽出されたディジタル放送番組に対応するチャンネルを、次の選局チャンネルとして決定するようにし、
前記番組嗜好情報記憶手段及び前記番組情報記憶手段から、それぞれ番組嗜好情報及び番組情報を読み出し、これら読み出された番組嗜好情報及び番組情報に基づいて、前記現在放送中であるディジタル放送番組に対応する前記番組嗜好度を抽出する番組嗜好度取得ステップと、
前記視聴時間選局推測ステップにより抽出された、視聴時間が最も長いディジタル放送番組の前記視聴時間が、所定の視聴時間閾値未満である場合に、前記番組嗜好度取得ステップにより抽出された番組嗜好度、及び読み出された番組情報に基づいて、番組嗜好度が最も高いディジタル放送番組を抽出し、この抽出されたディジタル放送番組に対応するチャンネルを、次の選局チャンネルとして決定する嗜好度選局推測ステップと、
を更に有したことを特徴とする請求項７記載のチャンネル推測方法。
【請求項１０】
前記ディジタル放送受信装置は、
現在放送中であるディジタル放送番組の視聴時間を示す視聴時間情報を記憶する視聴時間情報記憶手段を、更に有しており、
前記嗜好度選局推測ステップは、
前記選局遷移確率算出ステップにより算出された選局遷移確率が、所定の遷移確率閾値未満である場合に、前記番組嗜好度取得ステップにより抽出された番組嗜好度、及び前記読み出された番組情報に基づいて、前記番組嗜好度が最も高いディジタル放送番組を抽出し、この抽出されたディジタル放送番組の前記番組嗜好度が、所定の番組嗜好度閾値以上である場合に、前記抽出されたディジタル放送番組に対応するチャンネルを、次の選局チャンネルとして決定するようにし、
前記視聴時間情報記憶手段及び前記番組情報記憶手段から、それぞれ視聴時間情報及び番組情報を読み出し、これら読み出された視聴時間情報及び番組情報に基づいて、前記現在放送中であるディジタル放送番組に対応する前記視聴時間を抽出する視聴時間取得ステップと、
前記嗜好度選局推測ステップにより抽出された、番組嗜好度が最も高いディジタル放送番組の前記番組嗜好度が、所定の番組嗜好度閾値未満である場合に、前記視聴時間取得ステップにより抽出された視聴時間、及び前記読み出された番組情報に基づいて、前記視聴時間が最も長いディジタル放送番組を抽出し、この抽出されたディジタル放送番組に対応するチャンネルを、次の選局チャンネルとして決定する視聴時間選局推測ステップと、
を更に有したことを特徴とする請求項８記載のチャンネル推測方法。
【発明の詳細な説明】
【技術分野】
【０００１】
本発明は、受信部により所定のチャンネルのディジタル放送番組を受信し、この受信したディジタル放送番組を表示するディジタル放送受信装置、及びチャンネル推測方法に関する。
【背景技術】
【０００２】
近年、ディジタル放送が実用化され、その符号化の方式としてＭＰＥＧ−２といった符号化方式が採用されている。ディジタル放送の受信機において選局を行う際には、その符号化方式の特性上、符号化ストリームに一定の間隔で含まれるシーケンスヘッダと呼ばれる復号の基準となるデータを受信するまで待機し、シーケンスヘッダを受信してから符号化ストリームの復号、及び復号された動画像の表示を開始しなければならない。そのため、利用者が選局操作を行ってから選局動作が完了するまでにある程度の時間を要するので、利用者に不快感を与える要因となっている。
【０００３】
そこで、特許文献１には、選局動作を高速に完了することを可能とするディジタル放送受信端末装置が提案されている。この特許文献１に記載のディジタル放送受信端末装置では、放送波を受信する２つ以上の受信手段（チューナ及びデコーダ）を備え、第１の受信手段で選局中のチャンネルの放送波を受信、復号し、出力される動画像を画面に表示するのと並行して、視聴者により直前に操作された前選局、又は次選局を選択する操作情報、視聴者が予め登録したチャンネル情報、又は番組をカテゴリー毎に分割したサブメニュー情報に基づいて、第２の受信手段で利用者が次に選局すると推測されるチャンネルの放送波を受信、復号しておき、利用者が第２の受信手段で受信、復号している放送局への選局操作を行った場合には、画面に表示する動画像を第２の受信手段が出力する動画像に切り替えることを特徴としている。
【０００４】
また、特許文献２においても、選局動作を高速に完了することを可能とするディジタル放送受信装置が提案されている。この特許文献２に記載のディジタル放送受信装置では、放送波を受信する２つ以上の受信手段（チューナ及び復号部）を備え、第１の受信手段で選局中のチャンネルの放送波を受信、復号し、出力される動画像を画面に表示するのと並行して、視聴者が視聴したチャンネルの視聴時間により求めた嗜好度に基づいて、第２の受信手段で利用者が次に選局すると推測されるチャンネルの放送波を受信、復号しておき、利用者が第２の受信手段で受信、復号している放送局への選局操作を行った場合には、画面に表示する動画像を第２の受信手段が出力する動画像に切り替えることを特徴としている。
【特許文献１】特開２０００−１０１４６７号公報
【特許文献２】特開２００７−６７６８３号公報
【発明の開示】
【発明が解決しようとする課題】
【０００５】
しかしながら、特許文献１に記載のディジタル放送受信端末装置では、第２の受信手段で受信するチャンネルを決定する際に、利用者によって直前に行われた選局操作が次選局または前選局であった場合に、再び次選局または前選局操作を行うことにより選局されるチャンネルを第２の受信手段で受信するチャンネルとするので、直前に行われた選局操作が次選局及び前選局以外であった場合には、第２の受信手段で受信すべきチャンネルを決定することができないという問題があった。
【０００６】
また、予め利用者が登録したチャンネル、または利用者のプロファイルや視聴履歴から自動的に選択されたチャンネルを第２の受信手段で受信するチャンネルの候補とする場合、候補とされたチャンネルが多数あると、これらのチャンネルのうちどのチャンネルを第２の受信手段で受信するのか決定することができないという問題があった。
【０００７】
さらに、利用者によりチャンネル選択メニューのサブメニューを選択する操作が行われたときに、このカテゴリーに含まれる番組に対応するチャンネルを第２の受信手段で受信するチャンネルの候補とする場合、候補とされたチャンネルが多数あると、その操作によって限定される番組のカテゴリーのうち、どのカテゴリーに対応するチャンネルを第２の受信手段で受信するのか決定することができないという問題があった。
【０００８】
また、特許文献２に記載のディジタル放送受信装置では、第２の受信手段で受信するチャンネルを決める際に、視聴時間の長いチャンネルほど利用者の嗜好度が高くなり、選局される可能性が高いとみなしている。
【０００９】
しかしながら、利用者は、チャンネルを選局する操作を行う場合、過去に長時間視聴していた番組に対応するチャンネルを選局する操作を行うことより、ある決まった操作順でチャンネルを選局する操作を行うことの方が多いと考えられる。
【００１０】
そのため、特許文献２に記載のディジタル放送受信装置により決定されるチャンネルが、必ずしも利用者によって次に選局される可能性が高いとは言えなかった。さらに、チャンネルの視聴時間のみに基づいて、選局される可能性の高いチャンネルを決定すると、そのチャンネルで放送される番組の中には利用者の嗜好に適合しない番組も含まれる可能性があり、視聴時間の長いチャンネルで利用者の嗜好度の低い番組が放送されている場合には選局する可能性の低いチャンネルを第２の受信手段で受信するチャンネルとしてしまうという問題があった。
【００１１】
そこで、本発明は上記問題に鑑みてなされたものであり、利用者が選局する可能性が高いチャンネルを精度良く決定し、利用者がチャンネルを選局する操作を行った場合に、素早くこの決定されたチャンネルのディジタル放送番組を出力するディジタル放送受信装置、及びチャンネル推測方法を提供することを目的とする。
【課題を解決するための手段】
【００１２】
上記目的を達成するため、本発明に係るディジタル放送受信装置の第１の特徴は、放送受信手段（１０１，１０２）により所定のチャンネルのディジタル放送番組を受信するディジタル放送受信装置（１）であって、外部より供給された、前記放送受信手段（１０１，１０２）に受信させる前記ディジタル放送番組のチャンネルを変更するための選局情報と、前記選局情報が供給されたときの時刻情報とを関連づけて選局遷移情報とし、前記時刻情報が示す時刻が新しい方の所定数分の前記選局遷移情報を記憶する選局遷移情報記憶手段（１１７）と、時系列順に並べられた前記所定数分の前記選局情報を１組の選局遷移組合せとし、この選局遷移組合せ毎に選局遷移組み合わせの発生頻度を関連づけて、選局遷移頻度情報として記憶する選局遷移頻度記憶手段（１１８）と、前記選局遷移情報記憶手段（１１７）に記憶された選局遷移情報に基づいて、前記選局遷移頻度記憶手段（１１８）に記憶された選局遷移頻度情報を更新する選局推移更新手段（１１１）と、前記選局遷移情報記憶手段（１１７）に記憶された選局遷移情報に含まれる前記時刻情報に基づき時系列順にされた前記選局情報の一部と、前記選局遷移頻度記憶手段（１１８）に記憶された前記選局遷移組合せの一部とが一致する前記選局遷移組合せを抽出すると共に、この抽出された選局遷移組合せに対応する前記選局遷移組み合わせの発生頻度に基づいて、前記抽出された選局遷移組合せ毎の発生確率を選局遷移確率として算出し、この算出された選局遷移確率が最高となる前記選局遷移組合せを最高選局遷移組合せとして抽出する選局遷移確率算出手段（１１４）と、前記選局遷移確率算出手段（１１４）により抽出された最高選局遷移組合せに基づいて、次の選局チャンネルを決定する選局遷移推測手段（１１０ａ）と、を備えたことにある。
【００１３】
上記目的を達成するため、本発明に係るディジタル放送受信装置の第２の特徴は、現在放送中であるディジタル放送番組の視聴時間を示す視聴時間情報を記憶する視聴時間情報記憶手段（１２０）と、少なくとも前記ディジタル放送番組のチャンネル情報を含む番組情報を記憶する番組情報記憶手段（１２３）と、前記視聴時間情報記憶手段（１２０）及び前記番組情報記憶手段（１２３）から、それぞれ視聴時間情報及び番組情報を読み出し、これら読み出された視聴時間情報及び番組情報に基づいて、前記現在放送中であるディジタル放送番組に対応する前記視聴時間を抽出する視聴時間取得手段（１１５）と、前記選局遷移確率算出手段（１１４）により算出された選局遷移確率が、所定の遷移確率閾値未満である場合に、前記視聴時間取得手段（１１５）により抽出された視聴時間、及び前記読み出された番組情報に基づいて、最も視聴時間が長いディジタル放送番組に対応するチャンネルを、次の選局チャンネルとして決定する視聴時間選局推測手段（１１０ｂ）と、を更に備え、前記選局遷移推測手段（１１０ａ）は、前記選局遷移確率算出手段（１１４）により算出された選局遷移確率が、所定の遷移確率閾値以上である場合に、前記選局遷移確率算出手段（１１４）により抽出された最高選局遷移組合せに基づいて、次の選局チャンネルを決定するようにしたことにある。
【００１４】
上記目的を達成するため、本発明に係るディジタル放送受信装置の第３の特徴は、現在放送中であるディジタル放送番組についての視聴者の嗜好度合いを示す番組嗜好度を含む番組嗜好情報を記憶する番組嗜好情報記憶手段（１２２）と、少なくとも前記ディジタル放送番組のチャンネル情報を含む番組情報を記憶する番組情報記憶手段（１２３）と、前記番組嗜好情報記憶手段（１２２）及び前記番組情報記憶手段（１２３）から、それぞれ番組嗜好情報及び番組情報を読み出し、これら読み出された番組嗜好情報及び番組情報に基づいて、前記現在放送中であるディジタル放送番組に対応する前記番組嗜好度を抽出する番組嗜好度取得手段（１１６）と、前記選局遷移確率算出手段（１１４）により算出された選局遷移確率が、所定の遷移確率閾値未満である場合に、前記番組嗜好度取得手段（１２２）により抽出された番組嗜好度、及び前記読み出された番組情報に基づいて、前記番組嗜好度が最も高いディジタル放送番組に対応するチャンネルを、次の選局チャンネルとして決定する嗜好度選局推測手段（１１０ｃ）と、を更に備え、前記選局遷移推測手段（１１０ａ）は、前記選局遷移確率算出手段（１１４）により算出された選局遷移確率が、所定の遷移確率閾値以上である場合に、前記選局遷移確率算出手段（１１４）により抽出された最高選局遷移組合せに基づいて、次の選局チャンネルを決定するようにしたことにある。
【００１５】
上記目的を達成するため、本発明に係るディジタル放送受信装置の第４の特徴は、前記視聴時間選局推測手段（１１０ｂ）は、前記選局遷移確率算出手段（１１４）により算出された選局遷移確率が、所定の遷移確率閾値未満である場合に、前記視聴時間取得手段（１１５）により抽出された視聴時間、及び前記読み出された番組情報に基づいて、前記視聴時間が最も長いディジタル放送番組を抽出し、この抽出されたディジタル放送番組の前記視聴時間が、所定の視聴時間閾値以上である場合に、前記抽出されたディジタル放送番組に対応するチャンネルを、次の選局チャンネルとして決定するようにし、現在放送中であるディジタル放送番組についての視聴者の嗜好度合いを示す番組嗜好度を含む番組嗜好情報を記憶する番組嗜好情報記憶手段（１２２）と、前記番組嗜好情報記憶手段（１２２）及び前記番組情報記憶手段（１２３）から、それぞれ番組嗜好情報及び番組情報を読み出し、これら読み出された番組嗜好情報及び番組情報に基づいて、前記現在放送中であるディジタル放送番組に対応する前記番組嗜好度を抽出する番組嗜好度取得手段（１１６）と、前記視聴時間選局推測手段（１１０ｂ）により抽出された、視聴時間が最も長いディジタル放送番組の前記視聴時間が、所定の視聴時間閾値未満である場合に、前記番組嗜好度取得手段（１１６）により抽出された番組嗜好度、及び読み出された番組情報に基づいて、番組嗜好度が最も高いディジタル放送番組を抽出し、この抽出されたディジタル放送番組に対応するチャンネルを、次の選局チャンネルとして決定する嗜好度選局推測手段（１１０ｃ）と、を更に備えたことにある。
【００１６】
上記目的を達成するため、本発明に係るディジタル放送受信装置の第５の特徴は、前記嗜好度選局推測手段（２１０ｃ）は、前記選局遷移確率算出手段（２１０ａ）により算出された選局遷移確率が、所定の遷移確率閾値未満である場合に、前記番組嗜好度取得手段（１１６）により抽出された番組嗜好度、及び前記読み出された番組情報に基づいて、前記番組嗜好度が最も高いディジタル放送番組を抽出し、この抽出されたディジタル放送番組の前記番組嗜好度が、所定の番組嗜好度閾値以上である場合に、前記抽出されたディジタル放送番組に対応するチャンネルを、次の選局チャンネルとして決定するようにし、現在放送中であるディジタル放送番組の視聴時間を示す視聴時間情報を記憶する視聴時間情報記憶手段（１２０）と、前記視聴時間情報記憶手段（１２０）及び前記番組情報記憶手段（１２３）から、それぞれ視聴時間情報及び番組情報を読み出し、これら読み出された視聴時間情報及び番組情報に基づいて、前記現在放送中であるディジタル放送番組に対応する前記視聴時間を抽出する視聴時間取得手段（１１５）と、前記嗜好度選局推測手段（２１０ｃ）により抽出された、番組嗜好度が最も高いディジタル放送番組の前記番組嗜好度が、所定の番組嗜好度閾値未満である場合に、前記視聴時間取得手段（１１５）により抽出された視聴時間、及び前記読み出された番組情報に基づいて、前記視聴時間が最も長いディジタル放送番組を抽出し、この抽出されたディジタル放送番組に対応するチャンネルを、次の選局チャンネルとして決定する視聴時間選局推測手段（２１０ｂ）とを更に備えたことにある。
【００１７】
上記目的を達成するため、本発明に係るチャンネル推測方法の第１の特徴は、放送受信手段（１０１，１０２）により所定のチャンネルのディジタル放送番組を受信するディジタル放送受信装置（１）であり、外部より供給された、前記放送受信手段（１０１，１０２）に受信させる前記ディジタル放送番組のチャンネルを変更するための選局情報と、前記選局情報が供給されたときの時刻情報とを関連づけて選局遷移情報とし、前記時刻情報が示す時刻が新しい方の所定数分の前記選局遷移情報を記憶する選局遷移情報記憶手段（１１７）と、時系列順に並べられた前記所定数分の前記選局情報を１組の選局遷移組合せとし、この選局遷移組合せ毎に選局遷移組み合わせの発生頻度を関連づけて、選局遷移頻度情報として記憶する選局遷移頻度記憶手段（１１８）と、を備えた前記ディジタル放送受信装置（１）を用いて、チャンネルを推測するチャンネル推測方法であって、前記選局遷移情報記憶手段（１１７）に記憶された選局遷移情報に基づいて、前記選局遷移頻度記憶手段（１１８）に記憶された選局遷移頻度情報を更新する選局推移更新ステップ（１１１）と、前記選局遷移情報記憶手段（１１７）に記憶された選局遷移情報に含まれる前記時刻情報に基づき時系列順にされた前記選局情報の一部と、前記選局遷移頻度記憶手段（１１８）に記憶された前記選局遷移組合せの一部とが一致する前記選局遷移組合せを抽出すると共に、この抽出された選局遷移組合せに対応する前記選局遷移組み合わせの発生頻度に基づいて、前記抽出された選局遷移組合せ毎の発生確率を選局遷移確率として算出し、この算出された選局遷移確率が最高となる前記選局遷移組合せを最高選局遷移組合せとして抽出する選局遷移確率算出ステップ（１１４）と、前記選局遷移確率算出ステップ（１１４）により抽出された最高選局遷移組合せに基づいて、次の選局チャンネルを決定する選局遷移推測ステップ（１１０ａ）と、を有したことにある。
【００１８】
上記目的を達成するため、本発明に係るチャンネル推測方法の第２の特徴は、前記ディジタル放送受信装置（１）は、現在放送中であるディジタル放送番組の視聴時間を示す視聴時間情報を記憶する視聴時間情報記憶手段（１２０）と、少なくとも前記ディジタル放送番組のチャンネル情報を含む番組情報を記憶する番組情報記憶手段（１２３）と、を更に備えており、前記視聴時間情報記憶手段（１２０）及び前記番組情報記憶手段（１２３）から、それぞれ視聴時間情報及び番組情報を読み出し、これら読み出された視聴時間情報及び番組情報に基づいて、前記現在放送中であるディジタル放送番組に対応する前記視聴時間を抽出する視聴時間取得ステップ（１１５）と、前記選局遷移確率算出ステップ（１１４）により算出された選局遷移確率が、所定の遷移確率閾値未満である場合に、前記視聴時間取得ステップ（１１５）により抽出された視聴時間、及び前記読み出された番組情報に基づいて、最も視聴時間が長いディジタル放送番組に対応するチャンネルを、次の選局チャンネルとして決定する視聴時間選局推測ステップ（１１０ｂ）と、を更に有し、前記選局遷移推測ステップ（１１０ａ）は、前記選局遷移確率算出ステップ（１１４）により算出された選局遷移確率が、所定の遷移確率閾値以上である場合に、前記選局遷移確率算出ステップ（１１４）により抽出された最高選局遷移組合せに基づいて、次の選局チャンネルを決定するようにしたことにある。
【００１９】
上記目的を達成するため、本発明に係るチャンネル推測方法の第３の特徴は、前記ディジタル放送受信装置（１）は、現在放送中であるディジタル放送番組についての視聴者の嗜好度合いを示す番組嗜好度を含む番組嗜好情報を記憶する番組嗜好情報記憶手段（１２２）と、少なくとも前記ディジタル放送番組のチャンネル情報を含む番組情報を記憶する番組情報記憶手段（１２３）と、を更に備えており、前記番組嗜好情報記憶手段（１２２）及び前記番組情報記憶手段（１２３）から、それぞれ番組嗜好情報及び番組情報を読み出し、これら読み出された番組嗜好情報及び番組情報に基づいて、前記現在放送中であるディジタル放送番組に対応する前記番組嗜好度を抽出する番組嗜好度取得ステップ（１１６）と、前記選局遷移確率算出ステップ（１１４）により算出された選局遷移確率が、所定の遷移確率閾値未満である場合に、前記番組嗜好度取得ステップ（１１６）により抽出された番組嗜好度、及び前記読み出された番組情報に基づいて、前記番組嗜好度が最も高いディジタル放送番組に対応するチャンネルを、次の選局チャンネルとして決定する嗜好度選局推測ステップ（１１０ｃ）と、を更に有し、前記選局遷移推測ステップ（１１０ａ）は、前記選局遷移確率算出ステップ（１１４）により算出された選局遷移確率が、所定の遷移確率閾値以上である場合に、前記選局遷移確率算出ステップ（１１４）により抽出された最高選局遷移組合せに基づいて、次の選局チャンネルを決定するようにしたことにある。
【００２０】
上記目的を達成するため、本発明に係るチャンネル推測方法の第４の特徴は、前記ディジタル放送受信装置（１）は、現在放送中であるディジタル放送番組についての視聴者の嗜好度合いを示す番組嗜好度を含む番組嗜好情報を記憶する番組嗜好情報記憶手段（１２２）を、更に備えており、前記視聴時間選局推測ステップ（１１０ｂ）は、前記選局遷移確率算出ステップ（１１４）により算出された選局遷移確率が、所定の遷移確率閾値未満である場合に、前記視聴時間取得ステップ（１１５）により抽出された視聴時間、及び前記読み出された番組情報に基づいて、前記視聴時間が最も長いディジタル放送番組を抽出し、この抽出されたディジタル放送番組の前記視聴時間が、所定の視聴時間閾値以上である場合に、前記抽出されたディジタル放送番組に対応するチャンネルを、次の選局チャンネルとして決定するようにし、前記番組嗜好情報記憶手段（１２２）及び前記番組情報記憶手段（１２３）から、それぞれ番組嗜好情報及び番組情報を読み出し、これら読み出された番組嗜好情報及び番組情報に基づいて、前記現在放送中であるディジタル放送番組に対応する前記番組嗜好度を抽出する番組嗜好度取得ステップ（１１６）と、前記視聴時間選局推測ステップ（１１０ｂ）により抽出された、視聴時間が最も長いディジタル放送番組の前記視聴時間が、所定の視聴時間閾値未満である場合に、前記番組嗜好度取得ステップ（１１６）により抽出された番組嗜好度、及び読み出された番組情報に基づいて、番組嗜好度が最も高いディジタル放送番組を抽出し、この抽出されたディジタル放送番組に対応するチャンネルを、次の選局チャンネルとして決定する嗜好度選局推測ステップ（１１０ｃ）とを更に有したことにある。
【００２１】
上記目的を達成するため、本発明に係るチャンネル推測方法の第５の特徴は、前記ディジタル放送受信装置（２）は、現在放送中であるディジタル放送番組の視聴時間を示す視聴時間情報を記憶する視聴時間情報記憶手段（１２０）を、更に有しており、前記嗜好度選局推測ステップ（２１０ｃ）は、前記選局遷移確率算出ステップ（１１４）により算出された選局遷移確率が、所定の遷移確率閾値未満である場合に、前記番組嗜好度取得ステップ（１１６）により抽出された番組嗜好度、及び前記読み出された番組情報に基づいて、前記番組嗜好度が最も高いディジタル放送番組を抽出し、この抽出されたディジタル放送番組の前記番組嗜好度が、所定の番組嗜好度閾値以上である場合に、前記抽出されたディジタル放送番組に対応するチャンネルを、次の選局チャンネルとして決定するようにし、前記視聴時間情報記憶手段（１２０）及び前記番組情報記憶手段（１２３）から、それぞれ視聴時間情報及び番組情報を読み出し、これら読み出された視聴時間情報及び番組情報に基づいて、前記現在放送中であるディジタル放送番組に対応する前記視聴時間を抽出する視聴時間取得ステップ（１１５）と、前記嗜好度選局推測ステップ（２１０ｃ）により抽出された、番組嗜好度が最も高いディジタル放送番組の前記番組嗜好度が、所定の番組嗜好度閾値未満である場合に、前記視聴時間取得ステップ（１１５）により抽出された視聴時間、及び前記読み出された番組情報に基づいて、前記視聴時間が最も長いディジタル放送番組を抽出し、この抽出されたディジタル放送番組に対応するチャンネルを、次の選局チャンネルとして決定する視聴時間選局推測ステップ（２１０ｂ）とを更に有したことにある。
【発明の効果】
【００２２】
本発明に係るディジタル放送受信装置、及びチャンネル推測方法によれば、利用者が選局する可能性が高いチャンネルを精度良く決定し、利用者がチャンネルを選局する操作を行った場合に、素早くこの決定されたチャンネルのディジタル放送番組を出力させることができる。
【発明を実施するための最良の形態】
【００２３】
以下、本発明を実施するための最良の形態について、好ましい実施例を示して説明する。
【実施例１】
【００２４】
本発明の実施例１では、受信部により所定のチャンネルのディジタル放送番組を受信し、この受信したディジタル放送番組を表示すると共に、利用者がチャンネルを選局する操作を行った場合に、素早く対応するチャンネルのディジタル放送番組を表示するディジタル放送受信装置について説明する。
【００２５】
＜ディジタル放送受信装置の構成＞
図１は、本発明の実施例１であるディジタル放送受信装置の構成を示した構成図である。
【００２６】
本発明の実施例１であるディジタル放送受信装置１は、第１のチューナ１０１と、第２のチューナ１０２と、第１のデコーダ１０３と、第２のデコーダ１０４と、出力部１０５と、入力部１０６と、受信制御部１０７と、出力制御部１０８と、選局処理部１０９と、選局推測部１１０と、選局推移更新部１１１と、視聴時間計測部１１２と、視聴履歴収集部１１３と、選局遷移確率算出部１１４と、視聴時間取得部１１５と、番組嗜好度取得部１１６と、選局遷移情報記憶部１１７と、選局遷移頻度記憶部１１８と、チャンネル情報記憶部１１９と、視聴時間情報記憶部１２０と、視聴履歴情報記憶部１２１と、番組嗜好情報記憶部１２２と、番組情報記憶部１２３と、嗜好学習部１２４とを備える。
【００２７】
第１のチューナ１０１及び第２のチューナ１０２は、受信制御部１０７からチャンネル情報とともに選局を要求する信号が供給されると、放送局から送信されているディジタル放送の放送波のうちチャンネル情報により識別されるチャンネルの放送波を受信し、復調して符号化ストリームを抽出し、抽出された符号化ストリームをそれぞれ対応する第１のデコーダ１０３、又は第２のデコーダ１０４へ供給する。
【００２８】
第１のデコーダ１０３及び第２のデコーダ１０４は、それぞれ対応する第１のチューナ１０１、又は第２のチューナ１０２から供給された符号化ストリームを復号して番組の映像音声信号と番組情報を抽出し、抽出された映像音声信号を出力制御部１０８に供給するとともに、抽出された番組情報を番組情報記憶部１２３に記憶させる。
【００２９】
ここで、番組情報とは、放送局側により付加される番組に関する情報であり、「コンテンツタイトル」、「放送時間」、「チャンネル」、「ジャンル」、「内容説明」、及び「出演者リスト」等の情報を含むものである。
【００３０】
出力部１０５は、液晶ディスプレイ等の画像出力装置、及びスピーカー等の音声出力装置を備え、出力制御部１０８から供給された映像音声信号に基づいて映像や音声を出力する。
【００３１】
入力部１０６は、リモコン等の入力装置を備え、利用者の操作により選局情報とともに選局を指示する操作信号を生成して選局処理部１０９へ供給する。
【００３２】
ここで、選局情報とは、選局するチャンネルを指定するための情報であり、チャンネルを指定する番号情報、現在選局中のチャンネルの次のチャンネルを指示する情報、又は現在選局中のチャンネルの前のチャンネルを指示する情報を含んでいる。
【００３３】
受信制御部１０７は、選局処理部１０９、又は選局推測部１１０からチューナ識別情報及びチャンネル情報とともに選局を要求する信号が供給されると、チューナ識別情報により識別される第１のチューナ１０１、又は第２のチューナ１０２へチャンネル情報とともに選局を要求する信号を供給する。また、受信制御部１０７は、選局処理部１０９から第１のチューナ１０１及び第２のチューナ１０２により受信中である番組のチャンネル情報を要求する信号が供給されると、選局処理部１０９に第１のチューナ１０１及び第２のチューナ１０２により受信中である番組のチャンネル情報を供給する。
【００３４】
ここで、チャンネル情報とは、第１のチューナ１０１及び第２のチューナ１０２により受信される番組のチャンネルを示す情報である。
【００３５】
出力制御部１０８は、選局処理部１０９からデコーダ識別情報とともに出力を要求する信号が供給されると、この供給されたデコーダ識別情報により識別される第１のデコーダ１０３、又は第２のデコーダ１０４から供給される映像音声信号を出力部１０５に供給する。
【００３６】
選局処理部１０９は、入力部１０６から選局情報とともに選局を指示する操作信号が供給されると、この供給された選局情報をチャンネル情報に変換する。具体的には、選局処理部１０９は、供給された選局情報が、現在選局中のチャンネルの次のチャンネルを指示する情報、又は現在選局中のチャンネルの前のチャンネルを指示する情報である場合には、これらを、チャンネルを指定する番号情報に変換する。
【００３７】
さらに、選局処理部１０９は、第１のチューナ１０１及び第２のチューナ１０２が受信中である番組のチャンネル情報を要求する信号を受信制御部１０７へ供給し、その応答として、受信制御部１０７から第１のチューナ１０１及び第２のチューナ１０２が受信中である番組のチャンネル情報を受信する。
【００３８】
また、選局処理部１０９は、チューナ識別情報と、選局情報から変換されたチャンネル情報と、選局を要求する信号とを受信制御部１０７へ供給する。また、選局処理部１０９は、デコーダ識別情報と出力を要求する信号とを出力制御部１０８へ供給する。
【００３９】
さらに、選局処理部１０９は、入力部１０６から供給された選局情報を選局推移更新部１１１へ供給し、選局情報から変換されたチャンネル情報を視聴時間計測部１１２、及び視聴履歴収集部１１３へ供給する。また、選局処理部１０９は、現在出力されているデコーダに対応するチューナの識別情報と、選局情報から変換されたチャンネル情報とを選局推測部１１０へ供給する。
【００４０】
選局推測部１１０は、その機能上、選局遷移推測手段１１０ａと、視聴時間選局推測手段１１０ｂと、嗜好度選局推測手段１１０ｃとを備える。
【００４１】
選局遷移推測手段１１０ａは、選局処理部１０９からチューナの識別情報及びチャンネル情報が供給されると、選局遷移確率が最高となる選局遷移の組合せとその選局遷移確率とを要求する信号を、後述する選局遷移確率算出部１１４へ供給し、選局遷移確率算出部１１４から供給される選局遷移確率が最高となる選局遷移の組合せとこの選局遷移の組合せに対応する選局遷移確率とを受信する。
【００４２】
そして、選局遷移推測手段１１０ａは、選局遷移確率算出部１１４から供給された選局遷移確率が、所定の遷移確率閾値以上である場合に、選局遷移確率算出部１１４により抽出された選局遷移確率が最高となる選局遷移の組合せに基づいて、利用者が次に選局する可能性の高いチャンネルを決定する。
【００４３】
さらに、選局遷移推測手段１１０ａは、選局処理部１０９から供給されたチューナの識別情報により識別されるチューナのもう一方のチューナの識別情報、及びチャンネルのチャンネル情報とともに、選局を要求する信号を受信制御部１０７に供給する。
【００４４】
視聴時間選局推測手段１１０ｂは、視聴時間取得部１１５に現在放送中である番組のチャンネル情報と視聴時間を要求する信号を供給し、視聴時間取得部１１５から供給される現在放送中である番組のチャンネル情報と視聴時間を受信する。
【００４５】
そして、視聴時間選局推測手段１１０ｂは、選局遷移確率算出部１１４により算出された選局遷移確率が、所定の遷移確率閾値未満である場合に、視聴時間取得部１１５から供給された視聴時間、及び番組情報記憶部１２３から読み出された番組情報に基づいて、視聴時間が最も長いディジタル放送番組を抽出し、この抽出されたディジタル放送番組の視聴時間が、所定の視聴時間閾値以上である場合に、抽出されたディジタル放送番組に対応するチャンネルを、利用者が次に選局する可能性の高いチャンネルとして決定する。
【００４６】
さらに、視聴時間選局推測手段１１０ｂは、選局処理部１０９から供給されたチューナの識別情報により識別されるチューナのもう一方のチューナの識別情報、及びチャンネルのチャンネル情報とともに、選局を要求する信号を受信制御部１０７に供給する。
【００４７】
嗜好度選局推測手段１１０ｃは、番組嗜好度取得部１１６に現在放送中である番組のチャンネル情報と番組嗜好度を要求する信号を供給し、番組嗜好度取得部１１６から供給される現在放送中である番組のチャンネル情報と番組嗜好度を受信する。
【００４８】
そして、嗜好度選局推測手段１１０ｃは、視聴時間選局推測手段１１０ｂにより抽出されたディジタル放送番組の視聴時間が、所定の視聴時間閾値未満である場合に、番組嗜好度取得部１１６により抽出された番組嗜好度、及び読み出された番組情報に基づいて、番組嗜好度が最も高いディジタル放送番組を抽出し、この抽出されたディジタル放送番組に対応するチャンネルを、利用者が次に選局する可能性の高いチャンネルとして決定する。
【００４９】
さらに、嗜好度選局推測手段１１０ｃは、選局処理部１０９から供給されたチューナの識別情報により識別されるチューナのもう一方のチューナの識別情報、及びチャンネルのチャンネル情報とともに、選局を要求する信号を受信制御部１０７に供給する。
【００５０】
選局推移更新部１１１は、選局処理部１０９から選局情報が供給されると、選局遷移情報記憶部１１７から選局遷移情報を読み出し、選局処理部１０９から供給された選局情報に基づいて選局遷移情報を更新し、更新された選局遷移情報を選局遷移情報記憶部１１７に記憶させる。
【００５１】
ここで、選局遷移情報とは、後述するが、選局処理部１０９から供給された選局情報とその選局情報が供給された時刻とを１組として、供給された時刻の新しいものから所定数の組だけ集めたものである。
【００５２】
さらに、選局推移更新部１１１は、選局遷移情報を更新すると、後述する選局遷移頻度記憶部１１８から、更新された選局遷移情報と同一の選局遷移の組合せに関連付けられた選局遷移頻度を読み出す。そして、選局推移更新部１１１は、更新された選局遷移情報に基づいて、読み出された選局遷移頻度を更新し、更新された選局遷移頻度と選局遷移の組合せとを関連付けて、選局遷移頻度情報として選局遷移頻度記憶部１１８に記憶させる。
【００５３】
視聴時間計測部１１２は、選局処理部１０９からチャンネル情報が供給されると、チャンネル情報記憶部１１９から時刻及びチャンネル情報を読み出し、番組情報記憶部１２３から番組情報を読み出し、視聴時間情報記憶部１２０より視聴時間を読み出す。そして、視聴時間計測部１１２は、読み出した視聴時間を更新し、更新された視聴時間を視聴時間情報記憶部１２０に記憶させる。さらに、現在時刻及びチャンネル情報をチャンネル情報記憶部１１９に記憶させる。
【００５４】
視聴履歴収集部１１３は、選局処理部１０９からチャンネル情報が供給されると、現在時刻と供給されたチャンネル情報とを関連付けて、視聴履歴情報として視聴履歴情報記憶部１２１に記憶させる。
【００５５】
選局遷移確率算出部１１４は、選局推測部１１０から選局遷移確率が最高となる選局遷移の組合せとその選局遷移確率を要求する信号が供給されると、後述する選局遷移情報記憶部１１７に記憶された選局遷移情報に含まれる選局情報を時刻情報に基づいて時系列に並べ、この時系列順に並べられた選局情報の一部と、後述する選局遷移頻度記憶部１１８に記憶された選局遷移組合せの一部とが一致する選局遷移組合せを抽出する。そして、選局遷移確率算出部１１４は、この抽出された選局遷移組合せに対応する選局遷移頻度に基づいて、抽出された選局遷移組合せ毎の発生確率を選局遷移確率として算出し、この算出された選局遷移確率が最高となる選局遷移組合せを最高選局遷移組合せとして抽出する。さらに、選局遷移確率算出部１１４は、算出された選局遷移確率と、最高選局遷移組合せとを選局推測部１１０に供給する。
【００５６】
視聴時間取得部１１５は、選局推測部１１０から現在放送中である番組のチャンネル情報と視聴時間とを要求する信号が供給されると、番組情報記憶部１２３から番組ＩＤと番組情報とを読み出し、読み出した番組情報に含まれる放送時間に基づいて、現在放送中である番組の番組ＩＤを抽出する。そして、視聴時間取得部１１５は、抽出された番組ＩＤと関連付けられた視聴時間を視聴時間情報記憶部１２０から読み出す。さらに、視聴時間取得部１１５は、抽出された番組ＩＤに対応する番組情報に含まれるチャンネル情報と視聴時間情報記憶部１２０から読み出した視聴時間とを選局推測部１１０に供給する。
【００５７】
番組嗜好度取得部１１６は、選局推測部１１０から現在放送中である番組のチャンネル情報と番組嗜好度とを要求する信号が供給されると、番組情報記憶部１２３から番組ＩＤと番組情報とを読み出し、読み出した番組情報に含まれる放送時間に基づいて、現在放送中である番組の番組ＩＤを抽出する。そして、番組嗜好度取得部１１６は、抽出された番組ＩＤに対応する番組嗜好度を番組嗜好情報記憶部１２２から読み出し、抽出された番組ＩＤに対応する番組情報に含まれるチャンネル情報と読み出された番組嗜好度とを選局推測部１１０に供給する。
【００５８】
選局遷移情報記憶部１１７は、例えばハードディスク等の記憶装置により構成され、選局遷移情報を記憶する。
【００５９】
図２は、選局遷移情報記憶部１１７に記憶された選局遷移情報の一例を示した図である。
【００６０】
図２に示すように、時刻２０１と選局情報２０２とが関連付けられて記憶されている。選局情報２０２は、例えば“１６”や“３”のようにチャンネルを指定する番号情報や、“次”で示される現在選局中のチャンネルの次のチャンネルを指示する情報や、“前”で示される現在選局中のチャンネルの前のチャンネルを指示する情報を含んでいる。
【００６１】
また、選局遷移情報記憶部１１７に記憶される選局遷移情報の数の上限は、予め定められており、ここでは、“４”つとしている。
【００６２】
選局遷移頻度記憶部１１８は、例えばハードディスク等の記憶装置により構成され、選局遷移頻度情報を記憶する。
【００６３】
図３は、選局遷移頻度記憶部１１８に記憶された選局遷移頻度情報の一例を示した図である。
【００６４】
図３に示すように、選局遷移組合せ３０１と選局遷移頻度３０２とが関連付けられて記憶されている。選局遷移組合せ３０１は、複数の選局情報３０３乃至３０６の組合せであり、選局遷移情報記憶部１１７に記憶されている選局情報２０２を時刻２０１に基づいて時系列順に並べたものに相当する。即ち、選局遷移情報記憶部１１７に記憶された選局遷移情報の数の上限が、“４”つと定められている場合には、図３に示すように、選局遷移頻度情報の選局遷移組合せ３０１も選局情報３０３乃至３０６の“４”つの組み合わせとなる。また、選局遷移頻度３０２は、関連付けられた選局遷移組み合わせ３０１が発生した回数（組み合わせの発生頻度）を示している。
【００６５】
チャンネル情報記憶部１１９は、例えばメモリ等の記憶装置により構成され、出力部１０５に出力している１つのチャンネル情報と、このチャンネル情報のチャンネルが視聴開始された時刻とを記憶する。なお、チャンネル情報記憶部１１９に記憶されているチャンネル情報と時刻は、ディジタル放送受信装置１の電源が切断されたときなどに消去される。
【００６６】
視聴時間情報記憶部１２０は、例えばハードディスク等の記憶装置により構成され、番組ＩＤと視聴時間とを関連付けて、視聴時間情報として記憶する。
【００６７】
視聴履歴情報記憶部１２１は、例えばハードディスク等の記憶装置により構成され、視聴履歴情報を記憶する。ここで、視聴履歴情報は、時刻とチャンネル情報とが関連付けられたものである。
【００６８】
番組嗜好情報記憶部１２２は、例えばハードディスク等の記憶装置により構成され、番組嗜好情報を記憶する。ここで、番組嗜好情報とは、番組ＩＤと、視聴者による嗜好度合いを示す番組嗜好度とが関連付けられたものである。
【００６９】
番組情報記憶部１２３は、例えばハードディスク等の記憶装置により構成され、番組ＩＤと番組情報とを関連づけて記憶する。
【００７０】
嗜好学習部１２４は、予め定められた時間間隔で定期的に動作するものであり、視聴履歴情報記憶部１２１から視聴履歴情報を読み出し、番組情報記憶部１２３から番組ＩＤ及び番組情報を読み出し、読み出された視聴履歴情報、番組ＩＤ、及び番組情報から利用者の嗜好の度合いを示す番組嗜好度を算出し、算出された番組嗜好度を番組嗜好情報記憶部１２２に記憶させる。
【００７１】
なお、本発明の実施例１であるディジタル放送受信装置１は、選局遷移情報記憶部１１７と、選局遷移頻度記憶部１１８と、視聴時間情報記憶部１２０と、視聴履歴情報記憶部１２１と、番組嗜好情報記憶部１２２と、番組情報記憶部１２３とを、別々の記憶装置として構成しているが、各々の記憶部を部分的に共用したり、全ての記憶部を１つの記憶装置で共用したりする構成としてもよい。
【００７２】
＜ディジタル放送受信装置の作用＞
次に、本発明の実施例１であるディジタル放送受信装置１の作用について説明する。
【００７３】
本発明の実施例１であるディジタル放送受信装置１は、主に選局処理、選局推測処理、選局推移更新処理、視聴時間計測処理、選局遷移確率計算処理、及び嗜好学習処理を行う。そのため、各々の処理について以下に詳細に説明する。
【００７４】
≪選局処理≫
本発明の実施例１であるディジタル放送受信装置１の選局処理部１０９における選局処理の詳細について説明する。
【００７５】
図４は、本発明の実施例１であるディジタル放送受信装置１の選局処理部１０９における選局処理を示したフローチャートである。
【００７６】
ディジタル放送受信装置１の選局処理部１０９は、入力部１０６から選局情報とともに選局を指示する操作信号が供給されると、選局処理を開始し、まず、入力部１０６から供給された選局情報をチャンネル情報に変換する（ステップＳ４０１）。具体的には、選局情報はチャンネルを指定する番号情報、現在選局中のチャンネルの次のチャンネルを指示する情報、又は現在選局中のチャンネルの前のチャンネルを指示する情報のいずれかであるので、選局情報がチャンネルを指定する番号情報である場合には、選局処理部１０９は、チャンネルを指定する番号情報をそのままチャンネル情報とする。また、選局情報が現在選局中のチャンネルの次のチャンネルを指示する情報、又は現在選局中のチャンネルの前のチャンネルを指示する情報である場合には、選局処理部１０９は、前回の選局処理時に記憶しておいたチャンネル情報に基づき、現在選局中のチャンネルの次のチャンネル、または現在選局中のチャンネルの前のチャンネルを指定する番号情報をチャンネル情報とする。ここで得られたチャンネル情報は、現在選局中のチャンネルのチャンネル情報として記憶しておく。
【００７７】
次に、選局処理部１０９は、受信制御部１０７から現在受信中である番組のチャンネル情報を取得する（ステップＳ４０２）。具体的には、選局処理部１０９は、第１のチューナ１０１と第２のチューナ１０２のそれぞれについて、現在受信している番組のチャンネル情報を取得する。
【００７８】
次に、選局処理部１０９は、選局すべきチャンネルを受信中であるか否かを判定する（ステップＳ４０３）。具体的には、選局処理部１０９は、ステップＳ４０１において変換して生成したチャンネル情報がステップＳ４０２において取得したチャンネル情報に含まれているか否かを判定し、含まれていると判定した場合には、ステップＳ４０４へ処理を移行し、含まれていないと判定した場合には、ステップＳ４０５へ処理を移行する。
【００７９】
ステップＳ４０３において、選局すべきチャンネルを受信中であると判定された場合、選局処理部１０９は、出力制御部１０８にデコーダの出力を要求する（ステップＳ４０４）。具体的には、選局処理部１０９は、選局すべきチャンネルを受信中であるチューナに対応するデコーダ（第１のチューナ１０１が受信中である場合は第１のデコーダ１０３、第２のチューナ１０２で受信中である場合は第２のデコーダ１０４）の出力を出力部１０５に供給するように要求する。
【００８０】
一方、ステップＳ４０３において、選局すべきチャンネルを受信中ではないと判定された場合、選局処理部１０９は、受信制御部１０７に選局すべきチャンネルの受信を要求する（ステップＳ４０５）。具体的には、現在出力中のデコーダに対応するチューナ（第１のデコーダ１０３が出力中である場合は第１のチューナ１０１、第２のデコーダ１０４が出力中である場合は第２のチューナ１０２）に、ステップＳ４０１で変換して生成したチャンネル情報が示すチャンネルを受信するように要求する。
【００８１】
次に、選局処理部１０９は、入力部１０６から供給された選局情報を選局推移更新部１１１へ供給する（ステップＳ４０６）。
【００８２】
次に、選局処理部１０９は、ステップＳ４０１で変換して生成したチャンネル情報を視聴時間計測部１１２、及び視聴履歴収集部１１３へ供給する（ステップＳ４０７）。
【００８３】
さらに、選局処理部１０９は、チューナ識別情報及びチャンネル情報を選局推測部１１０へ供給する（ステップＳ４０８）。ここで供給するチューナ識別情報は、ステップＳ４０３において選局すべきチャンネルを受信中であると判定された場合に、選局すべきチャンネルを受信中であるチューナを識別する識別情報である。また、ステップＳ４０３において選局すべきチャンネルを受信中ではないと判定された場合には、現在出力中である第１のデコーダ１０３、又は第２のデコーダ１０４に対応する第１のチューナ１０１、又は第２のチューナ１０２を識別する識別情報である。また、ここで供給するチャンネル情報は、ステップＳ４０１で変換して生成したチャンネル情報である。
【００８４】
≪選局推測処理≫
次に、本発明の実施例１であるディジタル放送受信装置１の選局推測部１１０における選局推測処理の詳細について説明する。
【００８５】
図５は、本発明の実施例１であるディジタル放送受信装置１の選局推測部１１０における選局推測処理を示したフローチャートである。
【００８６】
選局推測部１１０の選局遷移推測手段１１０ａは、選局処理部１０９からチューナ識別情報及びチャンネル情報が供給されると、選局推測処理を開始し、まず、選局遷移確率算出部１１４から選局遷移確率が最高となる選局遷移組合せとこの選局遷移組合せに対応する選局遷移確率を取得する（ステップＳ５０１）。
【００８７】
次に、選局推測部１１０の選局遷移推測手段１１０ａは、ステップＳ５０１で取得した選局遷移確率が予め定められた遷移確率閾値以上か否かを判定する（ステップＳ５０２）。ここで用いる遷移確率閾値は、例えば“０．２”など、予め選局推測の精度を考慮して適当な値に設定されている。選局推測部１１０の選局遷移推測手段１１０ａは、選局遷移確率が遷移確率閾値以上であればステップＳ５０９へ処理を移行し、遷移確率閾値未満であればステップＳ５０３へ処理を移行する。
【００８８】
ステップＳ５０２において、選局遷移確率が遷移確率閾値以上であると判定された場合、選局遷移推測手段１１０ａは、ステップＳ５０１において取得した選局遷移組合せに基づいて、チャンネル情報を選択する（ステップＳ５０９）。具体的には、選局遷移推測手段１１０ａは、取得した選局遷移組合せの最後尾のチャンネル情報を選択する。
【００８９】
一方、ステップＳ５０２において、選局遷移確率が遷移確率閾値未満であると判定された場合、選局推測部１１０の視聴時間選局推測手段１１０ｂは、視聴時間取得部１１５から現在放送中である番組のチャンネル情報と視聴時間を取得する（ステップＳ５０３）。
【００９０】
次に、選局推測部１１０の視聴時間選局推測手段１１０ｂは、ステップＳ５０３において取得した現在放送中である番組のチャンネル情報から現在視聴している番組のチャンネル情報を削除し、さらにステップＳ５０３において取得した番組の視聴時間が最長であるチャンネル情報を選択する（ステップＳ５０４）。ここで、現在視聴している番組のチャンネル情報とは、選局処理部１０９から供給されたチャンネル情報である。
【００９１】
次に、選局推測部１１０の視聴時間選局推測手段１１０ｂは、ステップＳ５０４において選択されたチャンネル情報に対する視聴時間が予め定められた視聴時間閾値以上か否かを判定する（ステップＳ５０５）。ここで用いる視聴時間閾値は、例えば“１０分”など、予め選局推測の精度を考量して適切な値に設定されている。選局推測部１１０の視聴時間選局推測手段１１０ｂは、視聴時間が視聴時間閾値以上であると判定された場合、ステップＳ５０８へ処理を移行し、視聴時間閾値未満と判定された場合、ステップＳ５０６へ処理を移行する。
【００９２】
そして、ステップＳ５０５において、視聴時間が視聴時間閾値未満であると判定された場合、選局推測部１１０の嗜好度選局推測手段１１０ｃは、番組嗜好度取得部１１６から現在放送中である番組のチャンネル情報と番組嗜好度とを取得する（ステップＳ５０６）。
【００９３】
次に、選局推測部１１０の嗜好度選局推測手段１１０ｃは、ステップＳ５０６において取得した現在放送中である番組のチャンネル情報から現在視聴している番組のチャンネル情報を削除し、さらにステップＳ５０６において取得した番組の番組嗜好度が最高であるチャンネル情報を選択する（ステップＳ５０７）。ここで、現在視聴している番組のチャンネルとは、選局処理部１０９から供給されたチャンネル情報である。
【００９４】
次に、選局推測部１１０は、受信制御部１０７に対して、チューナ識別情報及びチャンネル情報を供給するとともに選局を要求する（ステップＳ５０８）。ここで、受信制御部１０７に供給するチューナ識別情報は、選局処理部１０９から供給されたチューナ識別情報により識別されるチューナのもう一方のチューナの識別情報である。また、受信制御部１０７に供給するチャンネル情報は、ステップＳ５０２において選局遷移確率が遷移確率閾値以上であると判定された場合にはステップＳ５０９において選択されたチャンネル情報であり、ステップＳ５０５において視聴時間が視聴時間閾値以上であると判定された場合にはステップＳ５０４において選択されたチャンネル情報であり、ステップＳ５０５において視聴時間が視聴時間閾値未満であると判定された場合にはステップＳ５０７において選択されたチャンネル情報となる。
【００９５】
≪選局推移更新処理≫
次に、本発明の実施例１であるディジタル放送受信装置１の選局推移更新部１１１における選局推移更新処理の詳細について説明する。
【００９６】
図６は、本発明の実施例１であるディジタル放送受信装置１の選局推移更新部１１１における選局推移更新処理を示したフローチャートである。
【００９７】
選局推移更新部１１１は、選局処理部１０９から選局情報が供給されると、選局推移更新処理を開始し、まず、選局遷移情報記憶部１１７から選局遷移情報を読み出す（ステップＳ６０１）。ここで、選局推移情報とは、時刻と選局情報が関連付けられたものである。
【００９８】
次に、選局推移更新部１１１は、ステップＳ６０１において読み出した選局推移情報に含まれる時刻のうち、最新の時刻と現在時刻との差が予め定められた更新時間閾値以上であるか否かを判定する（ステップＳ６０２）。ここで用いる更新時間閾値は、例えば“２０秒”など、選局推測の精度を考慮して適切な値に定める。最新の時刻と現在時刻との差が更新時間閾値以上であると判定された場合、ステップＳ６０５へ処理を移行し、更新時間閾値未満と判定された場合、ステップＳ６０３へ処理を移行する。
【００９９】
そして、ステップＳ６０２において最新の時刻と現在時刻との差が更新時間閾値未満であると判定された場合、選局推移更新部１１１は、ステップＳ６０１において読み出された選局推移情報に含まれる選局情報の個数が予め定められた選局情報数閾値以上であるか否かを判定する（ステップＳ６０３）。ここで用いる選局情報数閾値は、例えば“４”など、予め選局推測の精度を考慮して適切な値に設定される。選局情報の個数が予め定められた選局情報数閾値以上であると判定された場合、ステップＳ６０４へ処理を移行し、選局情報数閾値未満であると判定された場合、ステップＳ６０６へ処理を移行する。
【０１００】
そして、ステップＳ６０３において選局情報の個数が予め定められた選局情報数閾値以上であると判定された場合、選局推移更新部１１１は、ステップＳ６０１で読み出した選局推移情報に含まれる最古の時刻とそれに関連付けられた選局情報を削除する（ステップＳ６０４）。
【０１０１】
一方、ステップＳ６０２において最新の時刻と現在時刻との差が更新時間閾値以上であると判定された場合、選局推移更新部１１１は、ステップＳ６０１で読み出された選局推移情報に含まれる全ての時刻と選局情報とを削除する（ステップＳ６０５）。
【０１０２】
次に、選局推移更新部１１１は、ステップＳ６０１において読み出した選局推移情報、ステップＳ６０４において最古の時刻とそれに関連付けられた選局情報が削除された選局推移情報、又はステップＳ６０５において全ての時刻と選局情報が削除された選局推移情報に対し、選局処理部１０９から供給された選局情報と現在時刻とを関連付けて追加し、新たな選局推移情報を生成する（ステップＳ６０６）。
【０１０３】
次に、選局推移更新部１１１は、ステップＳ６０６において生成された選局遷移情報を選局遷移情報記憶部１１７に記憶させる（ステップＳ６０７）。
【０１０４】
次に、選局推移更新部１１１は、選局遷移頻度記憶部１１８に記憶された選局遷移頻度情報を読み出し、この読み出された選局遷移頻度情報の中に、ステップＳ６０６において生成された選局推移情報に含まれる選局情報と一致する選局遷移の組合せがあるか否かを判定する（ステップＳ６０８）。そして、選局推移更新部１１１は、選局情報と一致する選局遷移の組合せがあると判定された場合は、ステップＳ６０９へ処理を移行し、選局情報と一致する選局遷移の組合せがないと判定された場合は、ステップＳ６１１へ処理を移行する。
【０１０５】
そして、ステップＳ６０８において、選局情報と一致する選局遷移の組合せがあると判定された場合、選局推移更新部１１１は、選局遷移頻度記憶部１１８から、この選局情報と一致する選局遷移の組合せに対応する選局遷移頻度を読み出す（ステップＳ６０９）。
【０１０６】
次に、選局推移更新部１１１は、ステップＳ６０９で読み出された選局遷移頻度に“１”を加算し（ステップＳ６１０）、この加算された選局遷移頻度を、選局情報と一致する選局遷移の組合せに関連づけて選局遷移頻度記憶部１１８に記憶させる（ステップＳ６１１）。
【０１０７】
一方、ステップＳ６０８において、選局情報と一致する選局遷移の組合せがないと判定された場合、選局推移更新部１１１は、選局遷移頻度を“１”と設定する。（ステップＳ６１２）。
【０１０８】
そして、選局推移更新部１１１は、ステップＳ６０６において生成された選局推移情報に含まれる選局情報を選局遷移の組合せとして、ステップＳ６１２において設定された選局遷移頻度と関連づけて、新たな選局遷移頻度情報として選局遷移頻度記憶部１１８に記憶させる（ステップＳ６１３）。
【０１０９】
≪視聴時間計測処理≫
次に、本発明の実施例１であるディジタル放送受信装置１の視聴時間計測部１１２における視聴時間計測処理の詳細について説明する。
【０１１０】
図７は、本発明の実施例１であるディジタル放送受信装置１の視聴時間計測部１１２における視聴時間計測処理を示したフローチャートである。
【０１１１】
視聴時間計測部１１２は、選局処理部１０９からチャンネル情報が供給されると、視聴時間計測処理を開始し、まず、チャンネル情報記憶部１１９にチャンネル情報が記憶されているか否かを判定する（ステップＳ７０１）。チャンネル情報が記憶されていると判定された場合は、ステップＳ７０２へ処理を移行し、記憶されていないと判定された場合は、ステップＳ７１２へ処理を移行する。
【０１１２】
そして、ステップＳ７０１においてチャンネル情報が記憶されていると判定された場合、視聴時間計測部１１２は、チャンネル情報記憶部１１９から時刻及びチャンネル情報を読み出す（ステップＳ７０２）。
【０１１３】
次に、視聴時間計測部１１２は、番組情報記憶部１２３から番組ＩＤと番組情報とを読み出す（ステップＳ７０３）。
【０１１４】
次に、視聴時間計測部１１２は、ステップＳ７０３で読み出した番組ＩＤと番組情報とから直前まで視聴されていた番組ＩＤを抽出する（ステップＳ７０４）。具体的には、ステップＳ７０２で読み出したチャンネル情報で示されるチャンネルにおいて現在時刻に放送されている番組の番組ＩＤを抽出する。
【０１１５】
次に、視聴時間計測部１１２は、ステップＳ７０４で抽出した番組ＩＤに関連付けられた視聴時間が、視聴時間情報記憶部１２０に記憶されているか否かを判定する（ステップＳ７０５）。視聴時間が記憶されていると判定された場合、ステップＳ７０６へ処理を移行し、視聴時間が記憶されていないと判定された場合、ステップＳ７０７へ処理を移行する。
【０１１６】
そして、ステップＳ７０５において、視聴時間が記憶されていると判定された場合、視聴時間計測部１１２は、ステップＳ７０４において選択された番組ＩＤに関連付けられた視聴時間を視聴時間情報記憶部１２０から読み出す（ステップＳ７０６）。
【０１１７】
一方、ステップＳ７０５において視聴時間が記憶されていないと判定された場合、視聴時間計測部１１２は、視聴時間を“０”とする（ステップＳ７０７）。
【０１１８】
次に、視聴時間計測部１１２は、ステップＳ７０４において抽出された番組ＩＤに対応する番組情報に含まれる放送開始時刻が、ステップＳ７０２において読み出された時刻より前であるか否かを判定する（ステップＳ７０８）。放送開始時刻がステップＳ７０２において読み出された時刻より前であると判定された場合、ステップＳ７０９へ処理を移行し、放送開始時刻がステップＳ７０２において読み出された時刻より後であると判定された場合、ステップＳ７１０へ処理を移行する。
【０１１９】
そして、ステップＳ７０８において、放送開始時刻がステップＳ７０２で読み出された時刻より前であると判定された場合、視聴時間計測部１１２は、現在時刻とステップＳ７０２で読み出された時刻との差を、ステップＳ７０６において読み出された視聴時間、又はステップＳ７０７において“０”とされた視聴時間に加算する（ステップＳ７０９）。
【０１２０】
一方、ステップＳ７０８において、放送開始時刻がステップＳ７０２で読み出された時刻より後であると判定された場合、視聴時間計測部１１２は、現在時刻とステップＳ７０４において抽出された番組ＩＤに対応する番組情報に含まれる放送開始時刻との差を、ステップＳ７０６において読み出された視聴時間、又はステップＳ７０７において“０”とされた視聴時間に加算する（ステップＳ７１０）。
【０１２１】
次に、視聴時間計測部１１２は、ステップＳ７０９において加算された視聴時間、又はステップＳ７１０で加算された視聴時間を、ステップＳ７０４において抽出された番組ＩＤと関連付けて視聴時間情報記憶部１２０に記憶させる（ステップＳ７１１）。
【０１２２】
次に、視聴時間計測部１１２は、チャンネル情報記憶部１１９に現在時刻及び選局処理部１０９から供給されたチャンネル情報を記憶させる（ステップＳ７１２）。
【０１２３】
≪選局遷移確率計算処理≫
次に、本発明の実施例１であるディジタル放送受信装置１の選局遷移確率算出部１１４における選局遷移確率計算処理の詳細について説明する。
【０１２４】
図８は、本発明の実施例１であるディジタル放送受信装置１の選局遷移確率算出部１１４における選局遷移確率計算処理を示したフローチャートである。
【０１２５】
選局遷移確率算出部１１４は、選局推測部１１０から選局遷移確率が最高となる選局遷移組合せとこの選局遷移組合せに対応する選局遷移確率を要求する信号が供給されると、選局遷移確率計算処理を開始し、まず、選局遷移情報記憶部１１７から選局遷移情報を読み出す（ステップＳ８０１）。
【０１２６】
次に、選局遷移確率算出部１１４は、選局推移情報に含まれる選局情報の個数の閾値である選局情報数閾値を変数ｎに代入する（ステップＳ８０２）。なお、この選局情報数閾値は、図６に示した選局推移更新処理のフローチャートにおけるステップＳ６０３において用いた選局情報数閾値と同一のものである。
【０１２７】
次に、選局遷移確率算出部１１４は、変数ｎの値から“１”だけ減算し、変数ｎに代入する（ステップＳ８０３）。
【０１２８】
次に、選局遷移確率算出部１１４は、ステップＳ８０１において読み出された選局遷移情報にｎ個以上の選局情報が含まれるか否かを判定する（ステップＳ８０４）。選局遷移情報にｎ個以上の選局情報が含まれていると判定された場合、ステップＳ８０５へ処理を移行し、含まれていないと判定された場合、ステップＳ８０８へ処理を移行する。
【０１２９】
そして、ステップＳ８０４において、選局遷移情報にｎ個以上の選局情報が含まれると判定された場合、選局遷移確率算出部１１４は、ステップＳ８０１において読み出された選局遷移情報に含まれる選局情報のうち、それに関連付けられている時刻が新しい方からｎ個の選局情報を選択する（ステップＳ８０５）。例えば、変数ｎの値が“３”である場合、図２に示した選局遷移情報の一例では、選局情報の数が“４”であるので、時刻が新しい方から、“次”、“前”、“３”の３個の選局情報を選択する。
【０１３０】
次に、選局遷移確率算出部１１４は、ステップＳ８０５において選択された選局情報をそれに関連付けられた時刻の順に並べたときに時刻が新しい側に、任意の選局情報をさらに１個追加する。そして、選局遷移確率算出部１１４は、選局遷移頻度記憶部１１８から選局遷移頻度情報を読み出し、この読み出された選局遷移頻度情報の中から、任意の選局情報が追加されて（ｎ＋１）個からなる選局遷移の組合せと一致する選局遷移の組合せを抽出する。さらに、選局遷移確率算出部１１４は、読み出された選局遷移頻度情報の中から、抽出された選局遷移の組合せに関連付けられた選局遷移頻度を抽出する（ステップＳ８０６）。例えば、図２に示した選局遷移情報の一例では、“次”、“前”、“３”の次に、任意の選局情報をさらに１個追加し、追加されて４個からなる選局遷移の組合せと一致する選局遷移の組合せに関連づけられた選局遷移頻度を選局遷移頻度情報から抽出する。
【０１３１】
次に、選局遷移確率算出部１１４は、ステップＳ８０６において抽出された選局遷移頻度の総和を算出し、この算出された選局遷移頻度の総和が予め定められた頻度総和閾値以上であるか否かを判定する（ステップＳ８０７）。ここで用いる頻度総和閾値は、例えば“１０”など、選局推測の精度を考慮して予め適当な値に設定される。選局遷移頻度の総和が頻度総和閾値以上と判定された場合は、ステップＳ８１０へ処理を移行し、頻度総和閾値未満と判定された場合は、ステップＳ８０８へ処理を移行する。
【０１３２】
そして、ステップＳ８０７において算出された選局遷移頻度の総和が、頻度総和閾値未満であると判定された場合、選局遷移確率算出部１１４は、変数ｎの値が“２”以上であるか否かを判定する（ステップＳ８０８）。変数ｎの値が“２”以上であると判定された場合、ステップＳ８０３へ処理を移行し、“２”未満である判定された場合、ステップＳ８０９へ処理を移行する。
【０１３３】
そして、ステップＳ８０８において変数ｎの値が“２”未満であると判定された場合、選局遷移確率算出部１１４は、選局遷移確率を“０”に設定する（ステップＳ８０９）。また、この場合、選局推測部１１０においてチャンネル情報は使用されなくなるため、チャンネル情報を任意の値とする。
【０１３４】
一方、ステップＳ８０７において、選局遷移頻度の総和が頻度総和閾値以上であると判定された場合、選局遷移確率算出部１１４は、ステップＳ８０６において読み出された選局遷移頻度のうち、最高の選局遷移頻度に対応する選局遷移の組合せについて選局遷移確率を計算する（ステップＳ８１０）。具体的には、ステップＳ８０６において抽出された選局遷移頻度のうち最高のものに対応する選局遷移頻度の値を、ステップＳ８０６において算出された選局遷移頻度の総和で除した値を選局遷移確率とする。
【０１３５】
次に、選局遷移確率算出部１１４は、ステップＳ８０６において読み出された選局遷移頻度のうち最高のものに対応する選局遷移の組合せのうち、ステップＳ８０６において追加された選局情報をチャンネル情報に変換する（ステップＳ８１１）。このとき、選局情報からチャンネル情報への変換処理は、図４に示した選局処理部１０９における選局処理のフローチャートのステップＳ４０１における変換処理と同一である。
【０１３６】
≪嗜好学習処理≫
次に、本発明の実施例１であるディジタル放送受信装置１の嗜好学習部１２４における嗜好学習処理の詳細について説明する。
【０１３７】
図９は、本発明の実施例１であるディジタル放送受信装置１の嗜好学習部１２４において、予め定められた時間間隔で定期的に動作している嗜好学習処理のうちの１周期分の主要な処理を示したフローチャートである。
【０１３８】
嗜好学習部１２４は、嗜好学習処理を開始すると、番組情報記憶部１２３から番組情報を読み出す（ステップＳ９０１）。
【０１３９】
次に、嗜好学習部１２４は、ステップＳ９０１で読み出した番組情報からキーワードを抽出する（ステップＳ９０２）。具体的には、番組情報に含まれる番組名や説明文等の文字列に対して形態素解析を行い、名詞等の意味のある単語をキーワードとして抽出する。また、番組情報にジャンル、出演者、キーワード等の属性情報が含まれる場合には、それらをキーワードとして用いてもよい。
【０１４０】
次に、嗜好学習部１２４は、ステップＳ９０２で抽出したキーワードの番組出現回数を計算する（ステップＳ９０３）。具体的には、抽出した各キーワードのそれぞれを順次計算対象キーワードｋとし、この計算対象キーワードｋを番組情報に含んでいる番組の数を数え、それを番組出現回数とする。なお、この計算対象キーワードｋがひとつの番組の番組情報に複数含まれる場合でも番組出現回数は１回として数える。
【０１４１】
次に、嗜好学習部１２４は、視聴履歴情報記憶部１２１から視聴履歴情報を読み出す（ステップＳ９０４）。ここで、視聴履歴情報は、時刻とチャンネル情報が関連付けられたものである。
【０１４２】
次に、嗜好学習部１２４は、ステップＳ９０１で読み出した番組情報から視聴した番組を選択する（ステップＳ９０５）。具体的には、ステップＳ９０４で読み出した視聴履歴情報をそこに含まれる時刻の順に並べ、ある一つの視聴履歴の時刻をＴ１、チャンネル情報をＣ１とし、その次の視聴履歴の時刻をＴ２としたときに、時刻Ｔ１から時刻Ｔ２の間にチャンネルＣ１を視聴したと考えられるので、その時間帯にチャンネルＣ１で放送されていた番組を視聴した番組として選択する。以上の処理をすべての視聴履歴情報に対して行って番組を選択し、さらに選択された番組から重複するものを削除する。
【０１４３】
次に、嗜好学習部１２４は、ステップＳ９０２で抽出したキーワードの視聴番組出現頻度を計算する（ステップＳ９０６）。具体的には、ひとつの計算対象キーワードｋが視聴番組ｈの番組情報から抽出したひとつ以上のキーワードの中に存在した個数をＮｋ,ｈ、視聴番組ｈから抽出したキーワードの種類数（同一のキーワードが複数抽出された場合は１と数える）をＮｈとして、計算対象キーワードｋの視聴番組ｈに対する出現頻度Ｆｋ,ｈを下記に示す数式１を用いて求める。
【数１】
2009218634.tif 000003
【０１４４】
この式１は、利用者の嗜好という観点から、キーワードの種類数が少ない視聴番組に含まれる計算対象キーワードｋほど重要度が高く出現頻度Ｆｋ,ｈの値が大きくなり、キーワードの種類数が多い視聴番組に含まれる計算対象キーワードｋほど重要度が低く出現頻度Ｆｋ,ｈの値が小さくなることを示している。さらに、人間の感覚に近いといわれる対数関数を用いている。
【０１４５】
次に、式１による計算対象キーワードｋの視聴番組毎の出現頻度Ｆｋ,ｈを、全ての視聴番組について求め、その総和を求める（下記数式２）。この数式２で求めた総和が、計算対象キーワードｋの視聴番組出現頻度Ｆｋとなる。
【数２】
2009218634.tif 000004
【０１４６】
次に、嗜好学習部１２４は、ステップＳ９０２で抽出したキーワードの嗜好度をキーワード嗜好度として計算する（ステップＳ９０７）。具体的には、ひとつの計算対象キーワードｋについて、ステップＳ９０１で番組情報を読み出した全番組数をＮ、ステップＳ９０３で求めた計算対象キーワードｋの番組出現回数をＮｋ、ステップＳ９０６で求めた計算対象キーワードｋの視聴番組出現頻度をＦｋとして、計算対象キーワードｋのキーワード嗜好度Ｐｋを下記に示す数式３を用いて求める。
【数３】
2009218634.tif 000005
【０１４７】
この式３は、利用者の嗜好という観点から、多くの番組に出現する計算対象キーワードｋほど重要度が低くキーワード嗜好度Ｐｋの値が小さくなり、出現する番組の少ない計算対象キーワードｋほど重要度が高くキーワード嗜好度Ｐｋの値が大きくなることを示している。さらに、人間の感覚に近いといわれる対数関数を用いている。
【０１４８】
次に、嗜好学習部１２４は、ステップＳ９０１で読み出した番組情報から将来放送予定の番組を選択する（ステップＳ９０８）。具体的には、番組情報に含まれる放送終了時刻と現在時刻とを比較し、まだ放送が終了していない番組を将来放送予定の番組として選択する。
【０１４９】
次に、嗜好学習部１２４は、ステップＳ９０８で選択した将来放送予定の番組の番組嗜好度を計算する（ステップＳ９０９）。具体的には、ひとつの計算対象の放送予定番組ｈに含まれるひとつの計算対象キーワードｋについて、キーワードｋの放送予定番組ｈに対する出現頻度Ｆｋ，ｈをステップＳ９０６の数式１を用いて同様にして求め、この出現頻度Ｆｋ，ｈを放送予定番組ｈに含まれる全てのキーワードについて求める。さらに、ステップＳ９０７で求めたキーワードｋのキーワード嗜好度Ｐｋと出現頻度Ｆｋ，ｈの積の放送予定番組ｈに含まれる全てのキーワードｋについての総和を求め、計算対象番組ｈの番組嗜好度Ｑｈとする（数式４）。
【数４】
2009218634.tif 000006
【０１５０】
この数式４により、キーワード嗜好度Ｐｋの高いキーワードが多く出現する番組ほどその番組嗜好度Ｑｈが高くなる。この番組嗜好度Ｑｈを、ステップＳ９０８で選択した将来放送予定の全ての番組について算出する。
【０１５１】
次に、嗜好学習部１２４は、番組嗜好情報記憶部１２２にステップＳ９０８で選択した放送予定番組の番組ＩＤとステップＳ９０９で求めた嗜好度とを関連付けて番組嗜好情報として記憶させる（ステップＳ９１０）。
【０１５２】
≪まとめ≫
以上のように、本発明の実施例１であるディジタル放送受信装置１によれば、主に選局処理、選局推測処理、選局推移更新処理、視聴時間計測処理、選局遷移確率計算処理、及び嗜好学習処理を行うので、選局推移確率、番組の視聴時間、または番組の嗜好度に基づいて第２の受信手段で受信すべきチャンネルを決定するため、どのような状況でも第２の受信手段で受信すべき最適なチャンネルを決定することができる。
【０１５３】
具体的には、現在から過去の一定の時間内において利用者が選局操作を行った場合に、その選局操作が「次選局」または「前選局」以外の場合でも、１つまたは２つ以上の選局の推移に基づいて第２の受信手段で受信すべき最適なチャンネルを決定することができる。
【０１５４】
また、本発明の実施例１であるディジタル放送受信装置１によれば、現在から過去の一定の時間内において利用者が選局操作を行っていない場合であって、選局中のチャンネル以外のチャンネルで放送中の番組のうち視聴時間の長い番組がある場合には、その番組が放送されているチャンネルを第２の受信手段で受信すべきチャンネルとすることができる。
【０１５５】
さらに、本発明の実施例１であるディジタル放送受信装置１によれば、現在から過去の一定の時間内において利用者が選局操作を行っていない場合であって、選局中のチャンネル以外のチャンネルで放送中の番組のうち視聴時間の長い番組がない場合には、選局中のチャンネル以外のチャンネルで放送中の番組のうち利用者の嗜好度が高い番組が放送されているチャンネルを第２の受信手段で受信すべきチャンネルとすることができる。
【０１５６】
このように、本発明の実施例１であるディジタル放送受信装置１によれば、利用者の選局操作の傾向から求めた最高選局遷移組合せや、視聴時間の長短や、利用者の嗜好度合いに基づいて、利用者が次ぎに選局操作を行うチャンネルを高い精度で推測することが可能となる。これにより、利用者がチャンネルを選局する操作を行った場合に、素早くこの決定されたチャンネルのディジタル放送番組を出力することができる。
【０１５７】
なお、上述した実施例１であるディジタル放送受信装置１は、コンピュータにインストールしたディジタル放送受信プログラムを実行させることにより実現することもできる。このディジタル放送受信プログラムは、例えば、ディジタル放送受信プログラムが記憶された記録媒体から読み出され、ＣＰＵで実行されることによりディジタル放送受信装置１を構成するようにしてもよいし、通信ネットワークを介して伝送されてインストールされ、ＣＰＵで実行されることによりディジタル放送受信装置１を構成するようにしてもよい。
【実施例２】
【０１５８】
上述した、本発明の実施例１であるディジタル放送受信装置１では、選局遷移推測手段１１０ａが、選局遷移確率が最高となる選局遷移の組合せに基づいて、利用者が次に選局する可能性の高いチャンネルを決定し、選局遷移確率が所定の遷移確率閾値未満である場合に、視聴時間選局推測手段１１０ｂが、視聴時間が最も長いディジタル放送番組に対応するチャンネルを利用者が次に選局する可能性の高いチャンネルとして決定し、視聴時間が、所定の視聴時間閾値未満である場合に、嗜好度選局推測手段１１０ｃが、番組嗜好度が最も高いディジタル放送番組に対応するチャンネルを利用者が次に選局する可能性の高いチャンネルとして決定した。
【０１５９】
しかしながら、本発明であるディジタル放送受信装置において、選局遷移推測手段１１０ａ、視聴時間選局推測手段１１０ｂ、嗜好度選局推測手段１１０ｃが実行する処理はこの順序に限らない。
【０１６０】
本発明の実施例２であるディジタル放送受信装置２では、選局遷移推測手段１１０ａが、選局遷移確率が最高となる選局遷移の組合せに基づいて、利用者が次に選局する可能性の高いチャンネルを決定し、選局遷移確率が所定の遷移確率閾値未満である場合に、嗜好度選局推測手段１１０ｃが、番組嗜好度が最も高いディジタル放送番組に対応するチャンネルを利用者が次に選局する可能性の高いチャンネルとして決定し、番組嗜好度が、所定の嗜好度閾値未満である場合に、視聴時間選局推測手段１１０ｂが、視聴時間が最も長いディジタル放送番組に対応するチャンネルを利用者が次に選局する可能性の高いチャンネルとして決定する。
【０１６１】
＜ディジタル放送受信装置２の構成＞
図１０は、本発明の実施例２であるディジタル放送受信装置の構成を示した構成図である。
【０１６２】
本発明の実施例２であるディジタル放送受信装置２は、第１のチューナ１０１と、第２のチューナ１０２と、第１のデコーダ１０３と、第２のデコーダ１０４と、出力部１０５と、入力部１０６と、受信制御部１０７と、出力制御部１０８と、選局処理部１０９と、選局推測部２１０と、選局推移更新部１１１と、視聴時間計測部１１２と、視聴履歴収集部１１３と、選局遷移確率算出部１１４と、視聴時間取得部１１５と、番組嗜好度取得部１１６と、選局遷移情報記憶部１１７と、選局遷移頻度記憶部１１８と、チャンネル情報記憶部１１９と、視聴時間情報記憶部１２０と、視聴履歴情報記憶部１２１と、番組嗜好情報記憶部１２２と、番組情報記憶部１２３と、嗜好学習部１２４とを備える。
【０１６３】
本発明の実施例２であるディジタル放送受信装置２が備える構成のうち、本発明の実施例１であるディジタル放送受信装置１が備える構成と同一符号で示した構成は、それぞれ同一であるので、説明を省略する。
【０１６４】
選局推測部２１０は、その機能上、選局遷移推測手段２１０ａと、視聴時間選局推測手段２１０ｂと、嗜好度選局推測手段２１０ｃとを備える。
【０１６５】
選局遷移推測手段２１０ａは、選局処理部１０９からチューナの識別情報及びチャンネル情報が供給されると、選局遷移確率が最高となる選局遷移の組合せとその選局遷移確率を要求する信号とを後述する選局遷移確率算出部１１４へ供給し、選局遷移確率算出部１１４から供給される選局遷移確率が最高となる選局遷移の組合せとこの選局遷移の組合せに対応する選局遷移確率とを受信する。
【０１６６】
そして、選局遷移推測手段２１０ａは、選局遷移確率算出部１１４から供給された選局遷移確率が、所定の遷移確率閾値以上である場合に、選局遷移確率算出部１１４により抽出された選局遷移確率が最高となる選局遷移の組合せに基づいて、利用者が次に選局する可能性の高いチャンネルを決定する。
【０１６７】
さらに、選局遷移推測手段２１０ａは、選局処理部１０９から供給されたチューナの識別情報により識別されるチューナのもう一方のチューナの識別情報、及びチャンネルのチャンネル情報とともに、選局を要求する信号を受信制御部１０７に供給する。
【０１６８】
嗜好度選局推測手段２１０ｃは、番組嗜好度取得部１１６に現在放送中である番組のチャンネル情報と嗜好度を要求する信号を供給し、番組嗜好度取得部１１６から供給される現在放送中である番組のチャンネル情報と嗜好度を受信する。
【０１６９】
そして、嗜好度選局推測手段２１０ｃは、選局遷移確率算出部１１４により算出された選局遷移確率が、所定の遷移確率閾値未満である場合に、番組嗜好度取得部１１６から供給された番組嗜好度、及び番組情報記憶部１２３から読み出された番組情報に基づいて、番組嗜好度が最も高いディジタル放送番組を抽出し、この抽出されたディジタル放送番組に対応するチャンネルを、利用者が次に選局する可能性の高いチャンネルとして決定する。
【０１７０】
さらに、嗜好度選局推測手段２１０ｃは、選局処理部１０９から供給されたチューナの識別情報により識別されるチューナのもう一方のチューナの識別情報、及びチャンネルのチャンネル情報とともに、選局を要求する信号を受信制御部１０７に供給する。
【０１７１】
視聴時間選局推測手段２１０ｂは、視聴時間取得部１１５に現在放送中である番組のチャンネル情報と視聴時間を要求する信号を供給し、視聴時間取得部１１５から供給される現在放送中である番組のチャンネルと視聴時間を受信する。
【０１７２】
そして、視聴時間選局推測手段２１０ｂは、番組嗜好度取得部１１６により算出された番組嗜好度が、所定の嗜好度閾値未満である場合に、視聴時間取得部１１５から供給された視聴時間、及び番組情報記憶部１２３から読み出された番組情報に基づいて、視聴時間が最も長いディジタル放送番組を抽出し、この抽出されたディジタル放送番組の視聴時間が、所定の視聴時間閾値以上である場合に、抽出されたディジタル放送番組に対応するチャンネルを、利用者が次に選局する可能性の高いチャンネルとして決定する。
【０１７３】
さらに、視聴時間選局推測手段２１０ｂは、選局処理部１０９から供給されたチューナの識別情報により識別されるチューナのもう一方のチューナの識別情報、及びチャンネルのチャンネル情報とともに、選局を要求する信号を受信制御部１０７に供給する。
【０１７４】
＜ディジタル放送受信装置の作用＞
次に、本発明の実施例２であるディジタル放送受信装置２の作用について説明する。
【０１７５】
本発明の実施例２であるディジタル放送受信装置２は、主に選局処理、選局推測処理、選局推移更新処理、視聴時間計測処理、選局遷移確率計算処理、及び嗜好学習処理を行う。
【０１７６】
また、選局処理、選局推移更新処理、視聴時間計測処理、選局遷移確率計算処理、及び嗜好学習処理については、本発明の実施例１であるディジタル放送受信装置１における各処理と同一であるので、説明を省略する。
【０１７７】
≪選局推測処理≫
次に、本発明の実施例２であるディジタル放送受信装置２の選局推測部２１０における選局推測処理の詳細について説明する。
【０１７８】
図１１は、本発明の実施例２であるディジタル放送受信装置２の選局推測部２１０における選局推測処理を示したフローチャートである。
【０１７９】
選局推測部２１０の選局遷移推測手段２１０ａは、選局処理部１０９からチューナ識別情報及びチャンネル情報が供給されると、選局推測処理を開始し、まず、選局遷移確率算出部１１４から選局遷移確率が最高となる選局遷移組合せとこの選局遷移組合せに対応する選局遷移確率を取得する（ステップＳ１１０１）。
【０１８０】
次に、選局推測部２１０の選局遷移推測手段２１０ａは、ステップＳ１１０１で取得した選局遷移確率が予め定められた遷移確率閾値以上か否かを判定する（ステップＳ１１０２）。ここで用いる遷移確率閾値は、例えば“０．２”など、予め選局推測の精度を考慮して適当な値に設定されている。選局推測部２１０の選局遷移推測手段２１０ａは、選局遷移確率が遷移確率閾値以上であればステップＳ１１０９へ処理を移行し、遷移確率閾値未満であればステップＳ１１０３へ処理を移行する。
【０１８１】
そして、ステップＳ１１０２において、選局遷移確率が遷移確率閾値以上であると判定された場合、選局遷移推測手段２１０ａは、ステップＳ１１０１において取得した選局遷移組合せに基づいて、チャンネル情報を選択する（ステップＳ１１０９）。具体的には、選局遷移推測手段２１０ａは、取得した選局遷移組合せの最後尾のチャンネル情報を選択する。
【０１８２】
一方、ステップＳ１１０２において、選局遷移確率が遷移確率閾値未満であると判定された場合、選局推測部２１０の嗜好度選局推測手段２１０ｃは、番組嗜好度取得部１１６から現在放送中である番組のチャンネル情報と番組嗜好度とを取得する（ステップＳ１１０３）。
【０１８３】
次に、選局推測部２１０の嗜好度選局推測手段２１０ｃは、ステップＳ１１０３において取得した現在放送中である番組のチャンネル情報から現在視聴している番組のチャンネル情報を削除し、さらにステップＳ１１０３において取得した番組嗜好度が最高である番組のチャンネル情報を選択する（ステップＳ１１０４）。ここで、現在視聴している番組のチャンネル情報とは、選局処理部１０９から供給されたチャンネル情報である。
【０１８４】
次に、選局推測部２１０の嗜好度選局推測手段２１０ｃは、ステップＳ１１０４で選択されたチャンネル情報に対する番組嗜好度が予め定められた番組嗜好度閾値以上か否かを判定する（ステップＳ１１０５）。ここで用いる番組嗜好度閾値は、予め選局推測の精度を考量して適切な値に設定されている。選局推測部２１０の視聴時間選局推測手段２１０ｂは、番組嗜好度が番組嗜好度閾値以上であると判定された場合、ステップＳ１１０８へ処理を移行し、番組嗜好度閾値未満であると判定された場合、ステップＳ１１０６へ処理を移行する。
【０１８５】
ステップＳ１１０５において、番組嗜好度が番組嗜好度閾値未満であると判定された場合、選局推測部２１０の視聴時間選局推測手段２１０ｂは、視聴時間取得部１１５から現在放送中である番組のチャンネル情報と視聴時間を取得する（ステップＳ１１０６）。
【０１８６】
次に、選局推測部２１０の視聴時間選局推測手段２１０ｂは、ステップＳ１１０６において取得した現在放送中である番組のチャンネル情報から現在視聴している番組のチャンネル情報を削除し、さらにステップＳ１１０６において取得した視聴時間が最長である番組のチャンネル情報を選択する（ステップＳ１１０７）。ここで、現在視聴している番組のチャンネル情報とは、選局処理部１０９から供給されたチャンネル情報である。
【０１８７】
次に、選局推測部２１０は、受信制御部１０７に対して、チューナ識別情報及びチャンネル情報を供給するとともに選局を要求する（ステップＳ１１０８）。ここで、受信制御部１０７に供給するチューナ識別情報は、選局処理部１０９から供給されたチューナ識別情報により識別されるチューナのもう一方のチューナの識別情報である。
【０１８８】
また、受信制御部１０７に供給するチャンネル情報は、ステップＳ１１０２において選局遷移確率が遷移確率閾値以上であると判定された場合にはステップＳ１１０９において選択されたチャンネル情報であり、ステップＳ１１０５において番組嗜好度が番組嗜好度閾値以上であると判定された場合にはステップＳ１１０４において選択されたチャンネル情報であり、ステップＳ１１０５において番組嗜好度が番組嗜好度閾値未満であると判定された場合にはステップＳ１１０７において選択されたチャンネル情報となる。
【０１８９】
≪まとめ≫
以上のように、本発明の実施例２であるディジタル放送受信装置２によれば、主に選局処理、選局推測処理、選局推移更新処理、視聴時間計測処理、選局遷移確率計算処理、及び嗜好学習処理を行うので、選局推移確率、番組の嗜好度、又は番組の視聴時間に基づいて第２の受信手段で受信すべきチャンネルを決定するため、どのような状況でも第２の受信手段で受信すべき最適なチャンネルを決定することができる。
【０１９０】
具体的には、現在から過去の一定の時間内において利用者が選局操作を行った場合に、その選局操作が「次選局」または「前選局」以外の場合でも、１つまたは２つ以上の選局の推移に基づいて第２の受信手段で受信すべき最適なチャンネルを決定することができる。
【０１９１】
また、本発明の実施例２であるディジタル放送受信装置２によれば、現在から過去の一定の時間内において利用者が選局操作を行っていない場合であって、選局中のチャンネル以外のチャンネルで放送中の番組のうち番組嗜好度の高い番組がある場合には、その番組が放送されているチャンネルを第２の受信手段で受信すべきチャンネルとすることができる。
【０１９２】
さらに、本発明の実施例１であるディジタル放送受信装置１によれば、現在から過去の一定の時間内において利用者が選局操作を行っていない場合であって、選局中のチャンネル以外のチャンネルで放送中の番組のうち番組嗜好度が高い番組がない場合には、選局中のチャンネル以外のチャンネルで放送中の番組のうち視聴時間の長い番組が放送されているチャンネルを第２の受信手段で受信すべきチャンネルとすることができる。
【０１９３】
このように、本発明の実施例２であるディジタル放送受信装置２によれば、利用者の選局操作の傾向から求めた最高選局遷移組合せ、利用者の嗜好度合いや、視聴時間の長短に基づいて、利用者が次ぎに選局操作を行うチャンネルを高い精度で推測することが可能となる。これにより、利用者がチャンネルを選局する操作を行った場合に、素早くこの決定されたチャンネルのディジタル放送番組を出力することができる。
【図面の簡単な説明】
【０１９４】
【図１】本発明の実施例１であるディジタル放送受信装置の構成を示した構成図である。
【図２】本発明の実施例１であるディジタル放送受信装置の選局遷移情報記憶部に記憶された選局遷移情報の一例を示した図である。
【図３】本発明の実施例１であるディジタル放送受信装置の選局遷移頻度記憶部に記憶された選局遷移頻度情報の一例を示した図である。
【図４】本発明の実施例１であるディジタル放送受信装置の選局処理部における選局処理を示したフローチャートである。
【図５】本発明の実施例１であるディジタル放送受信装置の選局推測部における選局推測処理を示したフローチャートである。
【図６】本発明の実施例１であるディジタル放送受信装置の選局推移更新部における選局推移更新処理を示したフローチャートである。
【図７】本発明の実施例１であるディジタル放送受信装置の視聴時間計測部における視聴時間計測処理を示したフローチャートである。
【図８】本発明の実施例１であるディジタル放送受信装置の選局遷移確率算出部における選局遷移確率計算処理を示したフローチャートである。
【図９】本発明の実施例１であるディジタル放送受信装置の嗜好学習部において、予め定められた時間間隔で定期的に動作している嗜好学習処理のうちの１周期分の主要な処理を示したフローチャートである。
【図１０】本発明の実施例２であるディジタル放送受信装置の構成を示した構成図である。
【図１１】本発明の実施例２であるディジタル放送受信装置の選局推測部における選局推測処理を示したフローチャートである。
【符号の説明】
【０１９５】
１，２…ディジタル放送受信装置
１０１…第１のチューナ（受信部）
１０２…第２のチューナ（受信部）
１０３…第１のデコーダ
１０４…第２のデコーダ
１０５…出力部
１０６…入力部
１０７…受信制御部
１０８…出力制御部
１０９…選局処理部
１１０…選局推測部
１１０ａ…選局遷移推測手段
１１０ｂ…視聴時間選局推測手段
１１０ｃ…嗜好度選局推測手段
１１１…選局推移更新部
１１２…視聴時間計測部
１１３…視聴履歴収集部
１１４…選局遷移確率算出部
１１５…視聴時間取得部
１１６…番組嗜好度取得部
１１７…選局遷移情報記憶部
１１８…選局遷移頻度記憶部
１１９…チャンネル情報記憶部
１２０…視聴時間情報記憶部
１２１…視聴履歴情報記憶部
１２２…番組嗜好情報記憶部
１２３…番組情報記憶部
１２４…嗜好学習部
２１０…選局推測部
２１０ａ…選局遷移推測手段
２１０ｂ…視聴時間選局推測手段
２１０ｃ…嗜好度選局推測手段
【図１】
2009218634.tif 000007
【図２】
2009218634.tif 000008
【図３】
2009218634.tif 000009
【図４】
2009218634.tif 000010
【図５】
2009218634.tif 000011
【図６】
2009218634.tif 000012
【図７】
2009218634.tif 000013
【図８】
2009218634.tif 000014
【図９】
2009218634.tif 000015
【図１０】
2009218634.tif 000016
【図１１】
2009218634.tif 000017